(57)【特許請求の範囲】
【請求項１】
撮影装置の各画素の画素値に適用される各画素の補正係数を設定することで、前記撮影装置の各画素の感度を較正する較正装置であって、
前記撮影装置によって所定色の撮影対象を撮影して取得される画像を較正用撮影画像とすると、前記撮影対象が示される画像領域の位置を互いに異ならせるようにして取得された複数の較正用撮影画像の各々の前記画像領域を用いて補間処理を行うことにより、前記撮影装置の各画素の画素値を求める補間部と、
前記補間処理の後、前記補間部にて求められる画素値を参照して前記補正係数を設定する係数設定部と、を備え、
前記所定色の撮影対象は、前記所定色で形成された単一のパターン領域である較正装置。
【請求項２】
前記画像領域に属する各画素の座標値の平均値を、前記画像領域の代表位置として求める位置検出部を備え、
前記補間部は、前記代表位置に対応する前記画像領域に属する各画素の画素値の代表値を前記代表位置の画素値として、前記複数の較正用撮影画像の各々の画像領域の代表位置を用いて前記補間処理を行う請求項１に記載の較正装置。
【請求項３】
前記係数設定部は、画素毎に、前記補間処理によって得られる画素値を正規化し、正規化された値の逆数を補正係数とする請求項１または２に記載の較正装置。
【請求項４】
前記撮影対象が示される画像領域の位置が変わるように前記撮影装置を動かす駆動装置を制御し、且つ、前記撮影装置を制御して撮影処理を行わせる撮影制御部を備え、
前記撮影制御部は、前記複数の較正用撮影画像の各々に示されている前記撮影対象の画像領域を仮想的に全て同じ較正用画像上に示す場合に前記画像領域が格子状に配列するように、前記駆動装置および前記撮影装置を制御することを特徴とする請求項１から３のいずれか１項に記載の較正装置。
【請求項５】
前記撮影装置は動画の取得が可能なカメラであり、
前記撮影装置が動かされながら前記撮影対象を撮影することによって取得される動画を構成する全フレームのなかから一部のフレームの各々を前記較正用撮影画像として抽出する抽出部を備え、
前記抽出部は、抽出される全ての較正用撮影画像の各々に示されている前記撮影対象の画像領域を仮想的に全て同じ較正用撮影画像上に示す場合に前記画像領域が分散して配置されるように、前記較正用撮影画像として抽出するフレームを決定することを特徴とする請求項１から３のいずれか１項に記載の較正装置。
【請求項６】
撮影装置の各画素の画素値に適用される各画素の補正係数を設定することで、前記撮影装置の各画素の感度を較正する較正装置であって、
前記撮影装置によって所定色の撮影対象を撮影して取得される画像を較正用撮影画像とすると、前記撮影対象が示される画像領域の位置を互いに異ならせるようにして取得された複数の較正用撮影画像の各々の前記画像領域を用いて補間処理を行うことにより、前記撮影装置の各画素の画素値を求める補間部と、
前記補間部にて求められる画素値を参照して前記補正係数を設定する係数設定部と、を備え、
前記撮影装置は動画の取得が可能なカメラであり、
前記撮影装置が動かされながら前記撮影対象を撮影することによって取得される動画を構成する全フレームの中から一部のフレームの各々を前記較正用撮影画像として抽出する抽出部を備え、
前記抽出部は、抽出される全ての較正用撮影画像の各々に示されている前記撮影対象の画像領域を仮想的に全て同じ較正用撮影画像上に示す場合に前記画像領域が分散して配置されるように、前記較正用撮影画像として抽出するフレームを決定し、
前記抽出部は、前記較正用撮影画像として抽出するフレームを決定するとき、
前記動画の撮影範囲において前記画像領域が描く軌跡に対してＸ軸方向またはＹ軸方向に沿って極点判定処理を行い、
極点に画像領域を示すフレームを各々基準フレームとした場合、
時系列の順において互いに隣り合う基準フレームのペアを特定し、ペアとなる基準フレーム間に存在する複数のフレームを一つのグループとし、
前記グループの中の一部のフレームを、前記較正用撮影画像として抽出するフレームとして決定することを特徴とする較正装置。
【請求項７】
前記補間部は、複数の撮影対象の各々について、前記補間処理に用いる前記複数の較正用撮影画像を取得すると、前記撮影装置の各画素の画素値を求めるようになっており、
前記係数設定部は、前記複数の撮影対象の各々について、前記補正係数を求めるようになっており、
前記複数の撮影対象の全部または一部の各々は、互いに濃度の異なるグレー色を示すことを特徴とする請求項１から６のいずれか１項に記載の較正装置。
【請求項８】
前記補間部は、複数の撮影対象の各々について、前記補間処理に用いる前記複数の較正用撮影画像を取得すると、前記撮影装置の各画素の画素値を求めるようになっており、
前記係数設定部は、前記複数の撮影対象の各々について、前記補正係数を求めるようになっており、
前記複数の撮影対象の全部または一部の各々は、色空間における色成分を示し、且つ、互いに色成分を異ならせることを特徴とする請求項１から７のいずれか１項に記載の較正装置。
【請求項９】
前記複数の較正用撮影画像の各々を合成することにより、前記複数の較正用撮影画像の各々に示されている全ての前記画像領域を示した合成画像を作成する合成画像作成部を備えており、
前記補間部は、前記合成画像を参照することで、前記複数の較正用撮影画像の各々の前記画像領域を特定することを特徴とする、請求項１から５、７、８のいずれか１項に記載の較正装置。
【請求項１０】
請求項１から請求項９のいずれか１項に記載の較正装置を動作させるプログラムであって、コンピュータを前記各部として機能させるプログラム。
【請求項１１】
請求項１０に記載のプログラムを記録したコンピュータ読み取り可能な記録媒体。
【請求項１２】
撮影装置の各画素の画素値に適用される各画素の補正係数を設定することで、前記撮影装置の各画素の感度を較正する較正方法であって、
前記撮影装置によって所定色の撮影対象を撮影して較正用撮影画像を取得する工程であって、前記撮影対象が示される画像領域の位置を互いに異ならせる複数の較正用撮影画像を取得する工程と、
前記複数の較正用撮影画像の各々の前記画像領域を用いて補間処理を行うことにより、前記撮影装置の各画素の画素値を求める工程と、
前記補間処理の後、前記補間処理によって求められる画素値を参照して前記補正係数を設定する工程と、を含み、
前記所定色の撮影対象は、前記所定色で形成された単一のパターン領域である較正方法。
【発明の詳細な説明】
【技術分野】
【０００１】
本発明は、撮影装置の各画素の感度を較正する較正装置に関する。
【背景技術】
【０００２】
特許文献１に示すように、表示装置の表示較正処理を行うためには、表示装置に表示される画像の撮影が必要となり、高感度の撮影装置が要求される。高感度の撮影装置として、輝度や色度を点でなく面で測定可能な面色度計測器やユニフォミティ測定装置が開発されている。しかし、これらは、可搬性に欠き、消費電力が大きく且つ高価であるとの欠点がある。特に、高感度冷却ＣＣＤを用いた撮影装置は、当該欠点が顕著である。
【０００３】
これに対し、汎用デジタルカメラやＦＡ（Factory Automation）用カメラ等の安価な撮影装置は、以上の欠点がないものの、撮像系のバラツキ（レンズ・絞りなどの光学系に起因する特性変化や、ＣＣＤやＣＭＯＳなどの撮像素子における各画素の感度のバラツキ）が大きい。それゆえ、このような安価な撮影装置を表示装置の較正のように高感度撮影に利用するケースでは、事前に撮影装置の各画素の感度の較正を行うことが必要となる。
【０００４】
そこで、従来、このような撮影装置については、積分球や輝度箱（Light Source Box）によって撮影装置の全画素に略均一な光を照射し、この時に各画素にて検出される画素値を参照して、各画素の画素値を補正するための補正データ（例えば係数）を設定することにより、各画素の感度の較正を行うようになっている。
【先行技術文献】
【特許文献】
【０００５】
【特許文献１】特開２００７−２０８９２９号公報
【特許文献２】特開２０１３−９６８６３号公報
【特許文献３】特開２００１−７８２１１号公報
【発明の概要】
【発明が解決しようとする課題】
【０００６】
しかしながら、積分球や輝度箱は高価且つ可搬性に欠く装置であり、撮影装置の感度の較正を簡易に行えないという問題がある。
【０００７】
本発明は、撮影装置の感度の較正を簡易に行うことの可能な較正装置を提供することを目的としている。
【課題を解決するための手段】
【０００８】
以上の目的を達成するため、本発明の一態様は、撮影装置の各画素の画素値に適用される各画素の補正係数を設定することで、前記撮影装置の各画素の感度を較正する較正装置であって、前記撮影装置によって所定色の撮影対象を撮影して取得される画像を較正用撮影画像とすると、前記撮影対象が示される画像領域の位置を互いに異ならせるようにして取得された複数の較正用撮影画像の各々の前記画像領域を用いて補間処理を行うことにより、前記撮影装置の各画素の画素値を求める補間部と、前記補間部にて求められる画素値を参照して前記補正係数を設定する係数設定部と、を備えたことを特徴とする。
【発明の効果】
【０００９】
本発明の一態様によれば、撮影装置の全ての画素に対して一律に所定色を読み取らせなくても、撮影装置の全ての画素について、前記所定色を読み取らせた場合に得られる画素値に近い画素値を補間演算で求めることができる（撮影装置の全画素全体で感度特性にバラツキがあっても、近傍の画素同士では感度特性の差が少ない。それゆえ、全ての画素に対して一律に所定色を読み取らせなくても、一部の画素に所定色を読み取らせて補間演算を行えば、各画素において、前記所定色を読み取らせた場合に得られる画素値に近い画素値を得ることができるのである）。そして、全ての画素について補間演算で前記画素値を求めることで撮影装置の感度特性が明らかになるので、前記補正係数を設定でき、これにより感度較正が可能となる。
【００１０】
ここで、従来技術であれば、撮影装置の全ての画素に対して一律に所定色を読み取らせるために輝度箱や積分球が用いられるのであるが、本発明によれば、撮影装置の全ての画素に対して一律に所定色を読み取らせる必要がないため、輝度箱や積分球が不要になる。それゆえ、本発明の構成によれば、撮影装置の感度の較正を簡易に行えるという効果を奏する。
【００１１】
なお、特許文献２には、撮影装置のキャリブレーション方法が示されているが、この方法は位置ずれや角度ずれを補正するものであり、本発明のように画素の感度を較正するものではない。
【図面の簡単な説明】
【００１２】
【図１】実施形態１の較正システムの全体構成を模式的に示した図である。
【図２】図１に示す較正システムの概略構成を示したブロック図である。
【図３】図２に示す表示部に表示される較正用表示画像の一例を示した模式図である。
【図４】図２に示す表示部に表示される較正用表示画像を撮影して得られる２５枚の較正用撮影画像を示した模式図である。
【図５】２５枚の較正用撮影画像に示されるパターンを１枚の撮影画像上に示した場合の模式図である。
【図６】第１の調整用撮影画像のパターンの重心位置Ｐ０と、第２の調整用撮影画像のパターンの重心位置Ｐ１と、第３の調整用撮影画像のパターンの重心位置Ｐ２との位置関係を模式的に示した図である。
【図７】格子点補間を説明するための図である。
【図８】実施形態４の較正システムの概略構成を示したブロック図である。
【図９】画素値と補正係数との関係のテーブルを示す図である。
【図１０】実施形態２の較正システムの概略構成を示したブロック図である。
【図１１】実施形態２において動画を取得する撮影装置の撮影範囲と、撮影処理中に撮影装置を移動させることによって撮影範囲内にて位置を変化させるパターン領域の軌跡とを示す図である。
【図１２】実施形態２において、感度較正処理に使用される各較正用撮影画像に示される各パターン領域を撮影装置の撮影範囲上に並べて示す図である。
【図１３】実施形態２において、抽出部にて抽出された各較正用撮影画像に示される各パターン領域の重心位置を用いて設定される三角形領域を示す図である。
【図１４】三点補間を説明するための図であり、三角形領域の各頂点から三角形領域に属する補間画素の画素値を求める場合の各頂点と補間画素との位置関係を示した図である。
【図１５】三点補間を説明するための図であり、三角形領域の各頂点から三角形領域の外部に位置する補間画素の画素値を求める場合の各頂点と補間画素との位置関係を示した図である。
【図１６】実施形態２（手動）によって得られる感度分布と、輝度箱を用いた比較例によって得られる感度分布とを示す図である。
【図１７Ａ】実施形態２の実施例１によって図１３に示す各三角形領域を形成する処理の概要を説明するための第１の図である。
【図１７Ｂ】実施形態２の実施例１によって図１３に示す各三角形領域を形成する処理の概要を説明するための第２の図である。
【図１８】図１７Ｂのグループ１に属する位置番号１０のパターン領域が無かったとした場合のルール１およびルール２による処理結果を示す。
【図１９】図１８の処理結果によって得られる三角形領域を示す。
【図２０】図１７Ｂのグループ２に属する位置番号１２のパターン領域が無かったとした場合のルール１およびルール２による処理結果を示す。
【図２１】図２０の処理結果によって得られる三角形領域を示す。
【図２２】実施形態２の実施例２の基準三角形を説明するための図である。
【図２３】実施形態２の実施例２の準備処理の処理結果を示す図である。
【図２４】点Ｑが注目三角形の内部にある場合を示す図である。
【図２５】点Ｑが注目三角形の外部にある場合を示す第１の図である。
【図２６】点Ｑが注目三角形の外部にある場合を示す第２の図である。
【図２７】点Ｑがいずれの三角形領域にも属さない場合の三角形領域の選択方法を説明するための図である。
【図２８】実施形態３に係る抽出部の処理を説明するための図である。
【図２９】実施形態３において生成される各三角形領域を示した図である。
【発明を実施するための形態】
【００１３】
［実施形態１］
以下、本実施形態について図を参照して説明する。本実施形態の較正システムは、撮影装置の各画素の感度を較正する感度較正処理を行うシステムである。
【００１４】
本実施形態の感度較正処理とは、表示装置に表示される表示画像を撮影装置に撮影させることで得られる撮影画像を情報処理装置に入力し、当該情報処理装置が、当該撮影画像を用いて、撮影装置の各画素の画素値を補正するための補正係数を求める処理を指す。感度較正処理が実行された後の撮影装置の撮影にて得られる撮影画像のデータが前記補正係数によって補正されることにより、各画素の感度が較正されることになるのである。なお、本明細書において、撮影装置の各画素とは、撮影装置が備える撮像素子の各画素を指す。また、各画素の画素値は、撮影装置の各画素から得られるデータであって、撮影画像の各画素の明るさを数値化したデータを指す。
【００１５】
なお、本実施形態の較正システムは、主に表示装置の表示較正処理のための撮影に利用される撮影装置を処理対象としているが、処理対象は、特に表示装置の表示較正処理のための撮影に利用される撮影装置に限定されるものではなく、他の用途の撮影装置を処理対象としても勿論よい。
【００１６】
図１は、本実施形態の較正システムの全体構成を模式的に示した図であり、図２は、図１の較正システムの機能ブロック図である。図１および図２に示すように、較正システム１００は、撮影ユニット１０１、表示部１０２ａを有する表示装置１０２、情報処理装置１０３を備えている。
【００１７】
撮影ユニット１０１は、図２に示すように、撮影装置１０１ａと駆動装置１０１ｂとを備える。撮影装置１０１ａは、本実施形態の較正システム１００の感度較正処理の処理対象となるカメラである。具体的には、撮影装置１０１ａとしては、デジタルカメラ（汎用デジタルカメラ、ＦＡ用カメラ等）が用いられる。駆動装置１０１ｂは、コンピュータ制御によって撮影装置１０１ａを動かす装置である。駆動装置１０１ｂとしては、例えば、電動雲台またはロボットアームが用いられる。なお、実施形態１において、撮影装置１０１ａにおける撮影処理は静止画像を取得する処理を意味し、撮影画像とは静止画像を意味する。
【００１８】
表示装置１０２は、図１および図２に示すように、撮影装置１０１ａに撮影させる較正用表示画像を表示する表示部１０２ａを備えた装置である。表示部１０２ａとしては、例えば液晶表示パネルを用いることができる。なお、表示装置１０２としては、感度較正処理後の撮影装置１０１ａを用いて表示較正処理を行う際の処理対象となる表示装置と同型のものに限定されず、あらゆる表示装置を用いることができる。
【００１９】
情報処理装置（較正装置）１０３は、撮影ユニット１０１および表示装置１０２を制御し、且つ、撮影ユニット１０１から入力される情報を処理する装置である。具体的には、情報処理装置１０３は、撮影ユニット１０１および表示装置１０２の制御を行い、また、撮影ユニット１０１の撮影装置１０１ａから撮影画像を入力し、当該撮影画像を用いて、撮影装置１０１ａの各画素の画素値を補正するための補正係数を求めるようになっている。情報処理装置１０３としては、汎用のパーソナルコンピュータ装置（例えばノート型のコンピュータ装置）を用いることができる。
【００２０】
なお、図１に示すように、情報処理装置１０３は、ＤＶＩ（Digital Visual Interface）を介して表示装置１０２と接続されており、これにより表示装置１０２を表示制御可能になっている。また、情報処理装置１０３は、ＬＡＮ（Local Area Network）等の通信回線を介して撮影ユニット１０１と接続されており、これにより撮影ユニット１０１の動作制御や撮影ユニット１０１から撮影画像の受信が可能になっている。
【００２１】
情報処理装置１０３は、図２に示すように、情報処理部１０３ａ、および、記憶部１０３ｂを備えている。
【００２２】
記憶部１０３ｂは、情報処理部１０３ａに実行させる各種プログラム、および、これらプログラムを実行しているときに読み出される各種データを記憶するものである。また、記憶部１０３ｂには、情報処理部１０３ａにて処理された各種データが保存される。記憶部１０３ｂは、ハードディスク、フラッシュメモリなどの不揮発性の記憶装置である。
【００２３】
情報処理部１０３ａは、各種プログラムを実行することにより、情報処理部１０３ａに入力される情報や情報処理装置１０３に記憶されている情報を処理するコンピュータである。情報処理部１０３ａは、例えば、ＣＰＵ（Central Processing Unit）、ＲＡＭ（Random Access Memory）、およびＲＯＭ（Read Only Memory）等からなる。
【００２４】
つぎに、情報処理部１０３ａの処理内容を詳細に説明する。情報処理部１０３ａは、図２に示すように、表示制御部１２１、受信部１２２、位置検出部１２３、補間部１２４、係数設定部１２５、および撮影制御部１２６を備えている。なお、図２において、情報処理部１０３ａは、ハードウェアであるが、情報処理部１０３ａに含まれる各部１２１〜１２６は、情報処理部１０３ａが実行するソフトウェアの各機能を示す機能ブロックである。
【００２５】
表示制御部１２１は、ＤＶＩを介して表示装置１０２の表示制御を行うブロックである。本実施形態では、表示制御部１２１は、図１および図３に示すように、感度較正処理にて使用される較正用表示画像１３０を表示装置１０２の表示部１０２ａに表示させる。
【００２６】
較正用表示画像１３０は、図３に示すように、黒色を示す背景領域と、画面中央に位置するパターン領域１３１とが示される画像であり、撮影装置１０１ａの感度較正処理に用いられる画像である。パターン領域１３１が撮影装置１０１ａの撮影対象である。ここで、表示データ（階調値）が８ビットの場合、背景領域は、全画素において各色成分（Ｒ（赤）、Ｇ（緑）、Ｂ（青））の表示階調値をゼロとした黒色の画像領域である。また、パターン領域１３１は、各画素において均一に所定色が示される画像領域である。本実施形態では所定色は白色であるが、特に白色に限定されるものではない。なお、所定色が白色の場合、表示データが８ビットであれば、パターン領域１３１では各画素において各色成分の表示階調値が２５５となる。
【００２７】
また、パターン領域１３１は小面積に設定される。これは、パターン領域１３１の面積が広すぎると、表示部１０２ａの表示ムラによる影響を無視できなくなるためである（撮影装置の各画素の感度の較正を高精度に行うにはパターン領域１３１において均一に所定色を表示させる必要がある。これに対し、表示パネルの中央付近の近接し合う画素同士は表示ムラが殆ど無いものの、離れた画素同士（中央と端部）ではムラがあるため（例えば、液晶表示パネルの場合、離れた画素同士では、バックライトの光量、液晶層の層厚や薄膜トランジスタの特性が異なる可能性があるため）、パターン領域１３１の広さを小面積にしている）。
【００２８】
但し、パターン領域１３１の面積が小さすぎると、パターン領域１３１に対する撮影装置１０１ａの感度が不充分になることがある。そこで、当該感度を良好に保つために、撮影装置１０１ａの特性（光学系（レンズや絞り）を含めた特性）や撮影距離などを考慮した上でパターン領域１３１の面積が適切に設定される。例えば、パターン領域１３１が撮影装置１０１ａの画角の１／２５〜１／５０程度のサイズになるようにパターン領域１３１の面積を設定すれば前記感度を良好に保つことができる。つまり、撮影装置１０１ａの撮影範囲と表示部１０２ａ（表示画面）全体とが概ね一致するように撮影条件を調整し、表示部１０２ａがフルハイビジョン（１９２０画素×１０８０画素）の場合、パターン領域１３１は７５〜３２画素程度の面積に設定される。
【００２９】
なお、パターン領域１３１の形状は、図３に示すように円形であってもよいし、矩形、十字等であってもよい。また、複雑な形状で無ければ、それ以外の形状でも良い。
【００３０】
つぎに、図２に示す受信部１２２について説明する。受信部１２２は、撮影装置１０１ａが図１または図３に示す較正用表示画像１３０について撮影処理を行うと、当該撮影処理にて取得される撮影画像を撮影装置１０１ａから受信するブロックである。
【００３１】
また、受信部１２２は、受信した撮影画像に対して、後段での各種処理のために必要な前処理を行うようになっている。例えば、撮影ユニット１０１と情報処理装置１０３との間の伝送系が高速でないと、撮影装置１０１ａ側にて撮影画像に圧縮処理を施してから、情報処理装置１０３に撮影画像を伝送するようにシステム設計されていることが多いが、この場合、受信部１２２は、圧縮されている撮影画像に伸張処理を施すようになっている。
【００３２】
また、撮影装置１０１ａの撮像素子がベイヤー型であると、通常は撮影装置１０１ａがＣＦＡ（Color Filter Array）画像からＲＧＢ画像に変換した上でデータ（画像）を情報処理装置１０３へ送信するが、より厳密な色処理を行う事が望まれる場合、撮影装置１０１ａから情報処理装置１０３へＣＦＡ画像を送信し、受信部１２２にて、特殊なＣＦＡ処理を施すことでＣＦＡ画像からＲＧＢ画像に変換するようになっていてもよい（なお、ＣＦＡ処理の一例が、特許文献３（特開２００１−７８２１１）の段落［００３５］〜［００４１］に示されている）。
【００３３】
つぎに図２に示す位置検出部１２３について説明する。位置検出部１２３は、受信部１２２に受信された撮影画像に示されるパターン領域（図３の較正用表示画像１３０に示されるパターン領域１３１に対応する画像領域）の重心の位置（代表位置）を検出するブロックである。以下、位置検出部１２３の処理を具体的に説明する。
【００３４】
位置検出部１２３は、受信部１２２にて受信され且つ必要に応じて前処理された撮像画像に対して２値化処理を施すことで、２値化画像を生成する。例えば、撮影画像がＲＧＢ画像の場合、各画素のＧチャンネルの画素値（輝度値への寄与率が高いＧチャンネルの画素値）と閾値とを対比し、閾値以上の画素を「１」とし、閾値未満の画素を「０」とした２値化画像を生成する。なお、閾値は、例えば画像データが８ビットであり、且つ、パターン領域１３１の所定色が白色の場合は１２８に設定される。また、パターン領域１３１の所定色によっては、Ｇチャンネルの画素値ではなく、Ｒチャンネルの画素値やＢチャンネルの画素値を閾値処理するようになっていてもよい。
【００３５】
これにより、較正システム１００の周囲を充分に暗くした上で（例えば較正システム１００を暗室に設置する等）、撮影装置１０１ａによって較正用表示画像１３０の撮影を行えば、２値化画像において、パターン領域１３１に対応する画像領域の画素は「１」になり、パターン領域１３１以外の画像領域の画素は「０」になる。そして、位置検出部１２３は、「１」である画素のＸ座標の平均値およびＹ座標の平均値を求め、Ｘ座標の平均値およびＹ座標の平均値を、重心の位置とする。
【００３６】
つぎに、図２に示す撮影制御部１２６を説明する前に、後述する補間部１２４での補間処理にて使用される撮影画像を取得するための撮影処理の概要を説明する。なお、以下では、補間部１２４での補間処理にて使用される撮影画像を較正用撮影画像と称すことがある。
【００３７】
本実施形態の較正システム１００では、撮影装置１０１ａに較正用表示画像１３０を複数回撮影させることで複数の撮影画像を複数枚取得し、当該撮影画像を較正用撮影画像として、後段の補間部１２４が較正用撮影画像を用いて補間処理を行うようになっている。
【００３８】
具体的には以下の通りである。図４に示すように、各撮影画像１３０ａに必ずパターン領域１３１ａ（撮影画像における、図３のパターン領域１３１ａに対応する画像領域）が示されるように撮影処理を行い、撮影処理と撮影処理との間に撮影装置１０１ａを動かすことによって、撮影画像１３０ａ内におけるパターン領域１３１ａの位置（撮影範囲に対するパターン領域１３１ａの相対位置）を、取得される撮影画像１３０ａ毎で異ならせるようになっている。
【００３９】
すなわち、図４に示すように、撮影範囲に対するパターン領域１３１ａの相対位置が互いに異なる２５枚の較正用撮影画像１３０ａを取得するようになっている。
【００４０】
より詳細には、図５に示すように、撮影画像１３０ａ上に５×５の格子を設定する場合に当該格子のいずれかの交点（格子点）上にパターン領域１３１ａが位置するように撮影装置１０１ａの撮影位置が設定されて撮影処理が行われる。そして、次の撮影処理までの間に撮影装置１０１ａを動かすことにより、パターン領域１３１ａの位置する交点を変更する。そして、図５に示す格子上の２５個の交点の夫々においてパターン領域が撮影されるまで撮影処理が繰り返されるのである。これにより、図４に示すように、撮影範囲に対するパターン領域１３１ａの相対位置が互いに異なる２５枚の撮影画像であって、且つ、５×５の格子のいずれかの交点に位置するパターン領域１３１ａを示した２５枚の撮影画像１３０ａが取得される。
【００４１】
つまり、図４に示す２５枚の撮影画像１３０ａに示される２５個のパターン領域１３１ａを仮想的に１枚の撮影画像１３０ａ上に配置した場合、図５に示すように各パターン領域１３１ａが格子の各交点上に位置するように、２５枚の撮影画像１３０ａの各々のパターン領域１３１ａの位置が定められるのである（なお、図５においては、１枚の撮影画像１３０ａに２５個のパターン領域１３１ａが示されているが、これは２５枚の撮影画像１３０ａから抽出される２５個のパターン領域１３１ａを仮想的に同じ撮影画像１３０ａ上に示したものに過ぎず、実際には図４のように各撮影画像１３０ａに示されるパターン領域１３１ａは１つずつである）。
【００４２】
つぎに、図２に示す撮影制御部１２６を説明する。撮影制御部１２６は、撮影ユニット１０１を制御するブロックである。撮影制御部１２６は、撮影ユニット１０１を制御することによって、２５枚の較正用撮影画像１３０ａを撮影ユニット１０１に取得させるようになっている。以下、撮影制御部１２６および撮影ユニット１０１の処理を詳細に説明する。
【００４３】
まず、撮影制御部１２６は、撮影装置１０１ａの基準位置（ホームポジション）を設定し、撮影ユニット１０１に撮影処理を行わせて少なくとも３枚の調整用撮影画像を取得させる（調整用撮影画像は、２５枚の較正用撮影画像とは別に取得される撮影画像１３０ａである）。
【００４４】
具体的には、較正用表示画像１３０に示されるパターン領域１３１が撮影範囲の中央付近に位置するように作業員が撮影装置１０１ａと表示部１０２ａとの位置関係を定めた上で、作業員が処理開始指示を情報処理装置１０３に入力する。処理開始指示が入力されると、当該入力時の撮影装置１０１ａの位置が基準位置として情報処理装置１０３および撮影ユニット１０１に設定され、撮影装置１０１ａが、較正用表示画像１３０を撮影することにより、第１の調整用撮影画像を取得する。つまり、第１の調整用撮影画像は、撮影装置１０１ａが基準位置に配されている状態で、撮影範囲にパターン領域１３１が取り込まれるように、較正用表示画像１３０を撮影して得られる画像である。第１の調整用撮影画像は、撮影ユニット１０１から情報処理装置１０３に伝送される。
【００４５】
つぎに、第１の調整用撮影画像に続いて取得される第２および第３の調整用撮影画像の説明を行う前に、第２および第３の調整用撮影画像の説明にて必要となる位置制御信号（ＰＨ、ＰＶ）について説明する。
【００４６】
本実施形態では、撮影制御部１２６は、位置制御信号（ＰＨ、ＰＶ）を撮影ユニット１０１に伝達することで撮影装置１０１ａを動かすようになっている。
【００４７】
具体的には、撮影ユニット１０１の駆動装置１０１ｂは、表示部１０２ａの画面の水平方向（Ｘ軸方向）に平行に撮影装置１０１ａを動かすことが可能であり、且つ、前記画面の垂直方向（Ｙ軸方向）に平行に撮影装置１０１ａを移動させることが可能になっている。そして、位置制御信号（ＰＨ、ＰＶ）は、前記水平方向と前記垂直方向とを座標軸とした平面座標における座標値であって、撮影装置１０１ａの目標撮影位置の座標値を示した信号である。つまり、位置制御信号（ＰＨ、ＰＶ）を受信した駆動装置１０１ｂは、撮影装置１０１ａが目標撮影位置に到達するように撮影装置１０１ａを動かす。
【００４８】
位置制御信号のＰＨは、目標撮影位置の水平方向の座標値を示す値であり、ＰＶは、目標撮影位置の垂直方向の座標値を示す値である。すなわち、位置制御信号（ＰＨ、ＰＶ）は、前記水平方向と前記垂直方向とを座標軸とした座標において（ＰＨ、ＰＶ）に相当する位置に撮影装置１０１ａを動かすことを意味する。また、前記処理開始指示の入力時に設定された撮影装置１０１ａの基準位置（ホームポジション）が、位置制御信号（ＰＨ、ＰＶ）の座標上における原点位置（ＰＨ０、ＰＶ０）になる。よって、位置制御信号（ＰＨ０，ＰＶ０）は、基準位置に撮影装置１０１ａを動かすことを意味する。
【００４９】
また、位置制御信号（ＰＨ、ＰＶ）の座標上において、水平方向へ撮影装置１０１ａを動かすための駆動信号を単位パルスだけ駆動装置１０１ｂに与える場合の撮影装置１０１ａが動く距離（単位距離）をＰＨ１とし、垂直方向へ撮影装置１０１ａを動かすための駆動信号を単位パルスだけ駆動装置１０１ｂに与える場合の撮影装置１０１ａが動く距離（単位距離）をＰＶ１とする。それゆえ、位置制御信号（ＰＨ０，ＰＶ０）が基準位置に撮影装置１０１ａを動かすことを意味するのに対し、位置制御信号（ＰＨ１，ＰＶ０）は、基準位置から水平方向に単位距離だけずらした位置に撮影装置１０１ａを動かすことを意味し、位置制御信号（ＰＨ０，ＰＶ１）は、基準位置から垂直方向に単位距離だけずらした位置に撮影装置１０１ａを動かすことを意味する。
【００５０】
つぎに、第１の調整用撮影画像の次に取得される第２および第３の調整用撮影画像について説明する。
【００５１】
第１の調整用撮影画像の取得後、撮影制御部１２６は、位置制御信号（ＰＨ１，ＰＶ０）を撮影ユニット１０１に伝達する。これにより、撮影ユニット１０１は、基準位置から水平方向に単位距離だけずらした位置に撮影装置１０１ａを動かすことになる。この後、撮影制御部１２６が撮影ユニット１０１に較正用表示画像１３０を撮影させることによって、第２の調整用撮影画像が取得される。つまり、第２の調整用撮影画像は、基準位置から水平方向に単位距離だけずれた位置に撮影装置１０１ａを動かして、撮影範囲にパターン領域１３１が取り込まれるように較正用表示画像１３０を撮影して得られる画像である。第２の調整用撮影画像は、撮影ユニット１０１から情報処理装置１０３に伝送される。
【００５２】
第２の調整用撮影画像の取得後、撮影制御部１２６は、位置制御信号（ＰＨ０，ＰＶ１）を撮影ユニット１０１に伝達する。これにより、撮影ユニット１０１は、基準位置から垂直方向に単位距離だけずらした位置に撮影装置１０１ａを動かすことになる。この後、撮影制御部１２６が撮影ユニット１０１に較正用表示画像１３０を撮影させることによって、第３の調整用撮影画像が取得される。つまり、第３の調整用撮影画像は、基準位置から垂直方向に単位距離だけずれた位置に撮影装置１０１ａを動かして、撮影範囲にパターン領域１３１が取り込まれるように較正用表示画像１３０を撮影して得られる画像である。第３の調整用撮影画像は、撮影ユニット１０１から情報処理装置１０３に伝送される。
【００５３】
以上にて説明した第１〜第３の調整用撮影画像は、情報処理装置１０３に伝達されると、受信部１２２にて前処理が行われる。そして、位置検出部１２３は、第１〜第３の調整用撮影画像の各々について、パターン領域の重心の位置を座標値（撮影画像内の位置を示す座標値）として検出する。ここで、第１の調整用撮影画像のパターン領域の重心の位置をＰ０（Ｘ０，Ｙ０）とし、第２の調整用撮影画像のパターン領域の重心の位置をＰ１（Ｘ１，Ｙ１）とし、第３の調整用撮影画像のパターン領域の重心の位置をＰ２（Ｘ２，Ｙ２）とする。
【００５４】
図６は、第１の調整用撮影画像のパターン領域の重心の位置Ｐ０と、第２の調整用撮影画像のパターン領域の重心の位置Ｐ１と、第３の調整用撮影画像のパターン領域の重心の位置Ｐ２との位置関係を模式的に示した図である（なお、図６においてはＰ０，Ｐ１，Ｐ２が並んで示されているが、これはＰ０，Ｐ１，Ｐ２の位置関係を説明するために仮想的に並んで示しているに過ぎず、実際には、Ｐ０は、第１の調整用撮影画像のパターン領域の重心の位置、Ｐ１は、第２の調整用撮影画像のパターン領域の重心の位置、Ｐ２は、第３の調整用撮影画像のパターン領域の重心の位置を示すものである）。
【００５５】
ここで、図６に示すように、撮影装置１０１ａを位置制御信号（ＰＨ０，ＰＶ０）の位置（基準位置）から位置制御信号（ＰＨ１、ＰＶ０）の位置に動かすと、調整用撮影画像におけるパターン領域の重心の位置がＰ０（Ｘ０，Ｙ０）からＰ１（Ｘ１，Ｙ１）に移動し、撮影装置１０１ａを位置制御信号（ＰＨ０，ＰＶ０）の位置から位置制御信号（ＰＨ０、ＰＶ１）の位置に動かすと、調整用撮影画像におけるパターン領域の重心の位置がＰ０（Ｘ０，Ｙ０）からＰ２（Ｘ２，Ｙ２）に移動することになる。
【００５６】
そこで、水平方向の位置制御信号ＰＨ１に対応する撮影画像１３０ａ内でのパターン領域１３１ａのＸＹ座標値の変化量をｄＸｈ、ｄＹｈとし、垂直方向の位置制御信号ＰＶ１に対応する撮影画像１３０ａ内でのパターン領域１３１ａのＸＹ座標値の変化量をｄＸｖ、ｄＹｖとすると、以下の数１が成立する。
【００５７】
【数１】
0006577272.tif 000002
【００５８】
そして、撮影画像１３０ａにおけるパターン領域１３１ａの重心の目標位置の座標値を（Ｘｓ，Ｙｓ）とし、パターン領域１３１ａの重心を（Ｘｓ，Ｙｓ）に配置するための位置制御信号を（ＰＨｓ，ＰＶｓ）とすると、以下の数２が成立する。
【００５９】
【数２】
0006577272.tif 000003
【００６０】
数２を変形すると数３になる。
【００６１】
【数３】
0006577272.tif 000004
【００６２】
数３の演算式のＸｓ，Ｙｓにパターン領域１３１ａの重心の目標位置の座標値を入力すれば、撮影画像１３０ａにおいてパターン領域１３１ａの重心を目標位置に配置するための位置制御信号を（ＰＨｓ，ＰＶｓ）を求めることができる。
【００６３】
それゆえ、撮影制御部１２６は、位置検出部１２３によって検出されたＰ０（Ｘ０，Ｙ０）、Ｐ１（Ｘ１，Ｙ１）、およびＰ２（Ｘ２，Ｙ２）を用いて、数３の演算式を設定する。そして、撮影制御部１２６は、図５に示される格子上の２５個の交点の各々を目標位置とし、目標位置毎に、数３の演算式を演算して位置制御信号（ＰＨｓ，ＰＶｓ）を求める。撮影制御部１２６は、目標位置毎に、位置制御信号（ＰＨｓ，ＰＶｓ）を撮影ユニット１０１に伝達することでパターン領域１３１ａの重心が目標位置に配置されるように撮影装置１０１ａを動かした上で、撮影装置１０１ａに撮影処理を行わせる。
【００６４】
これにより、撮影装置１０１ａは、図４に示す２５枚の較正用撮影画像１３０ａを取得できる。取得された２５枚の較正用撮影画像１３０ａは、撮影装置１０１ａから情報処理装置１０３に伝送され、受信部１２２にて前処理が施される。そして、位置検出部１２３は、２５枚の較正用撮影画像１３０ａの各々についても、パターン領域１３１ａの重心の位置を検出する。
【００６５】
続いて、図２に示す補間部（数値解析処理部）１２４について説明する。補間部１２４は、２５枚の較正用撮影画像１３０ａから検出される２５個のパターン領域１３１ａの重心を格子点として格子点補間を行うことにより、撮影装置１０１ａの各画素の画素値を求める。
【００６６】
つまり、補間部１２４は、図５に示す５×５の格子の各交点上に位置するパターン領域１３１ａの重心を格子点として格子点補間を行うことにより、撮影装置１０１ａの各画素の画素値を求める。
【００６７】
撮影画像１３０ａのパターン領域１３１ａは、表示部１０２ａに表示されている較正用表示画像１３０の所定色（本例では白色）のパターン領域１３１に対応する画像領域である。それゆえ、補間部１２４の補間処理にて求められる各画素の画素値は、各画素に所定色を読み取らせた場合に得られる画素値に近い数値である。
【００６８】
つぎに、図２に示す補間部１２４の処理の詳細を説明する。まず、補間部１２４は、２５枚の較正用撮影画像１３０ａから検出される２５個のパターン領域１３１ａの重心の各々について画素値を算出する。具体的には以下の通りである。位置検出部１２３によって撮影画像１３０ａに対応する２値化画像が求められているが、当該２値化画像において「１」に対応する画素がパターン領域１３１ａに対応する画素となる。そこで、補間部１２４は、撮影画像１３０ａに対応する２値化画像を参照して、パターン領域１３１ａに対応する画素を検出し、パターン領域１３１ａに対応する各画素の画素値の代表値（平均、メジアン、またはモード）を算出し、この代表値をパターン領域１３１ａの重心の画素値とする。
【００６９】
続いて、補間部１２４は、２５枚の較正用撮影画像１３０ａから検出される２５個のパターン領域１３１ａの重心を格子点として補間処理を行う。なお、格子点とされるパターン領域１３１ａの重心の位置（座標値）は、位置検出部１２３にて求められており、前記重心の画素値は補間部１２４にて求められており、当該重心の位置および画素値に基づいて補間処理が行われる。
【００７０】
補間処理の手法としては周知の格子点補間が用いられる。具体的には以下に説明する通りである。
【００７１】
図７は、格子点補間を説明するための図である。図７の（ａ）に示すように、４つの格子点Ｖ１〜Ｖ４に囲まれている領域（１）の補間画素ＶＰの画素値は数４によって算出することが可能である。
【００７２】
【数４】
0006577272.tif 000005
【００７３】
また、４つの格子点に囲まれていない領域（２）〜（４）の補間画素ＶＰの画素値は以下のようにして算出する。まず、Ｘ方向に平行な外縁の隣接領域（２）であるが、図７の（ｂ）に示すように、内側の格子点Ｖ１，Ｖ２が外縁にもあるとみなし、且つ、内側の格子点Ｖ１と外縁の格子点Ｖ１とでＹ方向の座標値が同一であるとみなし、内側の格子点Ｖ２と外縁の格子点Ｖ２とでＹ方向の座標値が同一であるとみなす。そうすると、隣接領域（２）の補間画素ＶＰの画素値については数５によって算出できるのである。
【００７４】
【数５】
0006577272.tif 000006
【００７５】
また、Ｙ方向に平行な外縁の隣接領域（３）も隣接領域（２）と同様にして求める。すなわち、隣接領域（３）において、内側の格子点Ｖ１，Ｖ３が外縁にもあるとみなし、且つ、内側の格子点Ｖ１と外縁の格子点Ｖ１とでＸ方向の座標値が同一であるとみなし、内側の格子点Ｖ３と外縁の格子点Ｖ３とでＸ方向の座標値が同一であるとみなす。そうすると、隣接領域（３）の補間画素ＶＰの画素値については数６によって算出できる。
【００７６】
【数６】
0006577272.tif 000007
【００７７】
撮影画像の角部の近傍領域（４）については、４つの格子点を全てＶ１とすることにより、補間画素ＶＰの画素値を求める。つまり、ＶＰ=Ｖ１とする。
【００７８】
以上示した格子点補間を利用することにより、補間部１２４は、２５枚の撮影画像１３０ａから検出される２５個のパターン領域１３１ａの重心を格子点として、撮影装置１０１ａの各画素の画素値を求めることができる。
【００７９】
つぎに、図２に示す係数設定部１２５の詳細を説明する。係数設定部１２５は、補間部１２４によって求められた撮影装置１０１ａの各画素の画素値（所定色を読み取る場合の予想値）に基づいて、各画素に対して適用する補正係数を画素毎に設定するブロックである。以下、係数設定部１２５の処理を詳細に説明する。
【００８０】
まず、係数設定部１２５は、補間部１２４によって求められた撮影装置１０１ａの各画素の画素値を正規化する（正規化された値を正規化値と称する）。正規化は以下のようにして行う。撮影装置１０１ａの各画素のうちの所定画素（例えば中央の画素）の画素値を基準値とし、画素毎に画素値を前記基準値で割った値を正規化値とする。あるいは、撮影装置１０１ａの各画素の画素値の代表値（平均値、メジアン、またはモード）を求め、代表値を前記基準値として正規化値を求めてもよい。続いて、係数設定部１２５は、撮影装置１０１ａの画素毎に、正規化値の逆数を求め、この逆数を補正係数とする。係数設定部１２５は、各画素の補正係数を記憶部１０３ｂに保存する。これにより、感度較正処理が終了する。
【００８１】
つまり、以上のようにして求められた各画素の補正係数は、各画素がパターン領域１３１の色（所定色）を読み取った場合に各画素の画素値を前記基準値に揃えることの可能な係数である。そして、感度較正処理後の撮影装置１０１ａを用いて撮影を行って得られる撮影画像について、各画素の画素値のレベルに関係なく、各画素の画素値に前記補正係数を乗じることによって画素値の補正を行うことで（乗算にて得られる値が補正画素値になる）、各画素の感度のバラツキを較正できる。
【００８２】
それゆえ、感度較正処理後の撮影装置１０１ａは、画素毎に、全ての画素値のレベルに対して前記の補正係数を用いて補正を行う。ここで、感度較正処理後の撮影装置１０１ａの撮影画像も情報処理部１０３ａによって処理されるようになっている場合、情報処理部１０３ａは、感度較正処理後の撮影装置１０１ａの撮影画像を処理する補正処理部（不図示）を備えることになるが、補正処理部は、記憶部１０３ｂに記憶されている補正係数を用いて補正を行う。或いは、感度較正処理後の撮影装置１０１ａの撮影画像を処理する画像処理部が撮影装置１０１ａに備えられている場合、記憶部１０３ｂの補正係数を撮影装置１０１ａの記憶装置（不図示）に保存し、撮影装置１０１ａの画像処理部は、記憶装置の補正係数を用いて補正を行うことになる。
【００８３】
また、感度較正処理後の撮影装置１０１ａを用いて表示装置に対する表示較正処理を行う場合、そのまま情報処理装置１０３を用いて表示較正処理を行っても構わない。この場合、情報処理部１０３ａは、補正処理部（不図示）および表示較正処理部（不図示）を備えている。そして、撮影装置１０１ａは、表示較正処理の対象となる表示装置の較正用表示画像を撮影して得られる撮影画像を情報処理装置１０３へ伝送し、情報処理部１０３ａの補正処理部（不図示）は、記憶部１０３ｂに記憶されている補正係数を用いて撮影画像の各画素の画素値を補正する。そして、情報処理部１０３ａの表示較正処理部は、補正された撮影画像を参照して、表示装置の各画素の階調値を補正するための補正データを設定する表示較正処理を行う。
【００８４】
以上示した実施形態によれば、撮影装置１０１ａの全ての画素に対して一律に所定色を読み取らせなくても、撮影装置１０１ａの全ての画素について、前記所定色を読み取らせた場合に得られる画素値に近い画素値を補間演算で求めることができる（撮影装置の全画素全体で感度特性にバラツキがあっても、近傍の画素同士では感度特性の差が少ない。それゆえ、全ての画素に対して一律に所定色を読み取らせなくても、一部の画素に所定色を読み取らせて補間演算を行えば、各画素において、前記所定色を読み取らせた場合に得られる画素値に近い画素値を得ることができるのである）。そして、全ての画素について補間演算で前記画素値を求めることで、撮影装置１０１ａの感度特性（所定色を読み取らせた場合の各画素の画素値の相違）が明らかになるので、前記補正係数を設定でき、これにより感度較正が可能となる。
【００８５】
ここで、従来技術であれば、撮影装置の全ての画素に対して一律に所定色を読み取らせるために輝度箱や積分球が用いられるのであるが、本実施形態によれば、撮影装置１０１ａの全ての画素に対して一律に所定色を読み取らせる必要がないため、輝度箱や積分球が不要になる。それゆえ、本実施形態の構成によれば、撮影装置１０１ａの感度の較正を簡易に行えるという効果を奏する。
【００８６】
なお、図２に示す位置検出部１２３の後段であって、補間部１２４の前段において、図４に示す複数の較正用撮影画像１３０ａの各々を合成することにより、複数の較正用撮影画像１３０ａの各々に示されている全てのパターン領域１３１ａを示した合成画像を作成する合成画像作成部が情報処理部１０３ａに備えられていてもよい。つまり、当該合成画像は、図５に示すように、２５個のパターン領域１３１ａが示されている画像である。この場合、補間部１２４は、前記合成画像を参照することで、２５個のパターン領域１３１ａの各々の重心位置を特定して補間処理を行うことになる。これにより、データ処理を高速に行うことができるようになる。
【００８７】
（変形例）
以上の実施形態１では、撮影制御部１２６の制御により、駆動装置１０１ｂが撮影装置１０１ａを動かすことにより、互いにパターン領域１３１ａの位置が異なる２５枚の較正用撮影画像１３０ａ（図４参照）を取得している。しかし、撮影装置１０１ａの光学系の歪み、駆動装置１０１ｂの駆動精度、位置制御信号の分解能などに起因して、目標位置からずれた位置にパターン領域１３１ａが示されている較正用撮影画像１３０ａを取得してしまう可能性がある。
【００８８】
そこで、撮影制御部１２６は、取得された各較正用撮影画像１３０ａを解析し、目標位置とパターン領域１３１ａの重心とのずれが大きい較正用撮影画像１３０ａについては、再撮影を行って取得し直すようになっていてもよい。
【００８９】
具体的には、図４に示す２５枚の較正用撮影画像１３０ａの取得後、撮影制御部１２６は、各々の較正用撮影画像１３０ａについて、パターン領域１３１ａの重心と目標位置（パターン領域１３１ａの重心の目標位置）との距離を求め、距離と閾値とを比較する（なお、パターン領域１３１ａの重心の位置は位置検出部１２３にて検出される）。
【００９０】
そして、撮影制御部１２６は、求めた距離が閾値未満の較正用撮影画像１３０ａについては、そのまま補間部１２４に使用させる。
【００９１】
これに対し、撮影制御部１２６は、求めた距離が閾値以上の較正用撮影画像１３０ａ’については、補間部１２４に使用させず、再撮影を行う。この再撮影の手順を以下に説明する。
【００９２】
まず、撮影制御部１２６は、撮影装置１０１ａの基準位置（ホームポジション）を、撮影画像１３０ａ’を取得した際の撮影装置１０１ａの撮影位置に変更する。つまり、撮影制御部１２６は、撮影画像１３０ａ’を取得した際に使用した位置制御信号の値を図６の（ＰＨ０，ＰＶ０）とし、撮影画像１３０ａ’上のパターン領域１３１ａの重心の位置をＰ０（Ｘ０，Ｙ０）とする。
【００９３】
そして、撮影制御部１２６は、変更後の基準位置（撮影画像１３０ａ’を取得した際の撮影位置）に基づいて、前述した第２の調整用撮影画像（位置制御信号（ＰＨ１，ＰＶ０）の位置で撮影される画像）と、第３の調整用撮影画像（位置制御信号（ＰＨ０，ＰＶ１）の位置で撮影される画像）とを撮影ユニット１０１に取得させる。位置検出部１２３は、第２の調整用撮影画像からＰ１（Ｘ１，Ｙ１）を検出し、第３の調整用撮影画像からＰ２（Ｘ２，Ｙ２）を検出する。続いて、撮影制御部１２６は、Ｐ０（Ｘ０，Ｙ０）、Ｐ１（Ｘ１，Ｙ１）、およびＰ２（Ｘ２，Ｙ２）を用いて、数３の演算式を再設定する。そして、撮影制御部１２６は、再設定された演算式（数３）に、撮影画像１３０ａ’に示されるパターン領域１３１ａの目標位置の座標値を入力すれば、補正された位置制御信号（ＰＨｓ，ＰＶｓ）を求めることができる。撮影制御部１２６は、補正された位置制御信号（ＰＨｓ，ＰＶｓ）を用いて撮影ユニット１０１に再撮影を行わせる。
【００９４】
すなわち、以上の処理は、パターン領域１３１ａの重心位置が目標位置から離れている撮影画像１３０ａ’を取得した場合、当該撮影画像１３０ａ’の取得時の撮影装置１０１ａの撮影位置を基準位置として目標撮影位置へ撮影装置１０１ａを移動させるための位置制御信号（ＰＨｓ，ＰＶｓ）を再設定するものである。このようにして求めた位置制御信号（ＰＨｓ，ＰＶｓ）に基づいて得られる撮影画像１３０ａ’’のパターン領域１３１ａの重心位置は、撮影画像１３０ａ’のパターン領域１３１ａの重心位置よりも目標位置に近づくことになる。
【００９５】
そして、撮影制御部１２６は、撮影画像１３０ａ’’のパターン領域１３１ａの重心位置と目標位置との距離を求め、この距離と閾値とを比較する。撮影制御部１２６は、求めた距離が閾値未満であれば、再撮影で得られた撮影画像１３０ａ’’を補間部１２４に使用させる。これに対し、撮影制御部１２６は、前記の距離が閾値以上であれば、前記の距離が閾値未満になるまで、以上にて示した再撮影を繰り返す。
【００９６】
以上にて示した変形例により、感度較正処理用の２５枚の撮影画像１３０ａの各々のパターン領域１３１ａの位置精度を向上させることができる。
【００９７】
［実施形態２］
つづいて実施形態２を説明する。実施形態１では、情報処理装置１０３の撮影制御部１２６が、駆動装置１０１ｂを制御することによって撮影装置１０１ａを動かす形態であった。これに対し、実施形態２は、撮影装置１０１ａを手動で動かす形態である。
【００９８】
図１０は、実施形態２の較正システム２００のブロック図である。較正システム２００は、同図に示すように、撮影装置２１１、表示部２０２ａを有する表示装置２０２、情報処理装置２１３を備えている。
【００９９】
表示装置２０２および表示部２０２ａは、図１、図２の表示装置１０２および表示部１０２ａと同じものであるため、その説明を省略する。つまり、図３に示す較正用表示画像１３０が表示装置２０２の表示部２０２ａに表示される。
【０１００】
撮影装置２１１は、本実施形態の較正システム２００の感度較正処理の処理対象であり、静止画像のみならず動画を取得可能なデジタルカメラである。例えば、３０ＦＰＳ（frame per second）のカメラが用いられる（１秒間にフレームを３０枚取得）。つまり、撮影装置２１１にて取得される動画は、複数のフレーム（静止画像）からなるデータを意味する。また、本実施形態では、撮影処理は動画を取得する処理を指す。
【０１０１】
また、本実施形態では、作業員が手動で撮影装置２１１を移動させながら撮影処理を行うようになっている。それゆえ、撮影装置２１１は手動雲台に搭載されていても構わない。
【０１０２】
つぎに、図１０に示す情報処理装置２１３を説明する前に、作業員による撮影処理の概要を説明する。なお、以降の説明において、撮影装置２１１の撮影処理によって取得される動画の各フレームにおいて画像として示される範囲を撮影範囲と称する。
【０１０３】
本実施形態の較正システム２００では、作業員は、（１）パターン領域１３１ａが（較正用表示画像１３０に示されるパターン領域１３１に対応する画像領域）が必ず撮影範囲３４０に含まれるように撮影装置２１１によって較正用表示画像１３０を撮影して動画を取得し、（２）撮影処理中に撮影装置２１１を移動させることによって、撮影範囲３４０内におけるパターン領域１３１ａの位置（撮影範囲３４０に対する相対位置）を移動させるようにする。
【０１０４】
具体的に説明すると、以下の通りである。図１１は、パターン領域１３１が示される較正用表示画像１３０を撮影することによって動画を取得している撮影装置２１１の撮影範囲３４０と、撮影処理中に撮影装置２１１を移動させることによって撮影範囲３４０内にて変位するパターン領域１３１ａの軌跡３５０とを示す図である。
【０１０５】
まず、作業員は、撮影範囲３４０において図１１に示す始点にパターン領域１３１ａが配されるように、撮影装置２１１の撮影位置を設定した上で、動画の撮影処理の開始指示を撮影装置２１１に入力する。続いて、作業員は、撮影範囲３４０内にてパターン領域１３１ａが図１１に示す軌跡を描くように撮影装置２１１を移動させる。具体的には、パターン領域１３１ａが、撮影範囲３４０にて、（１）撮影範囲３４０の左端上部の始点から右方向に移動して、撮影範囲３４０の右端上部の第１極点に到達し、（２）第１極点から左方向に移動して、撮影範囲３４０の左端中央部の第２極点に到達し、（３）第２極点から右方向に移動して、撮影範囲３４０の右端下部の第３極点に到達し、（４）第３極点から左方向に移動して、撮影範囲３４０の左端下部の終点に到達するように、作業員は撮影装置２１１を動かす。そして、作業員は、パターン領域１３１ａが終点に到達すると、動画の撮影処理の終了指示を撮影装置２１１に入力する。
【０１０６】
これにより、撮影装置２１１の撮影処理によって、パターン領域１３１ａが図１１の軌跡３５０を描くような動画が取得されることになる。撮影処理が終了すると、撮影装置２１１によって撮影された動画は情報処理装置２１３に入力される。具体的には、図１０に示すように情報処理装置２１３と撮影装置２１１とをＬＡＮやＵＳＢにて接続することにより、撮影装置２１１にて取得された動画を撮影装置２１１に入力可能である。
【０１０７】
なお、図１１には、軌跡３５０上に互いに間隔を空けた複数のパターン領域１３１ａが示されているが、これは、軌跡３５０がパターン領域１３１ａの軌跡であることを明確にするために便宜上複数のパターン領域１３１ａを示しているものであり、実際には一つのフレームに一つのパターン領域１３１ａが示されるだけである。また、図１１は、軌跡３５０を構成する全てのパターン領域１３１ａ（動画を構成する全フレームから特定される全パターン領域）を示したものではなく、便宜上、一部の僅かな数のパターン領域１３１ａを示したものにすぎない。
【０１０８】
つぎに、情報処理装置２１３を説明する。図１０の情報処理装置２１３は、表示装置２０２を制御すると共に、撮影装置２１１から入力される情報を処理する装置である。情報処理装置２１３としては、情報処理装置１０３と同様、汎用のパーソナルコンピュータ装置（例えばノート型のコンピュータ装置）を用いることができる。また、情報処理装置２１３は、情報処理装置１０３と同様、ＤＶＩを介して表示装置２０２に接続されている。
【０１０９】
情報処理装置２１３は、図１０に示すように、情報処理部２１３ａおよび記憶部２１３ｂを備えている。記憶部２１３ｂは、記憶部１０３ｂと同様の記憶装置であり、情報処理部２１３ａに実行させる各種プログラム、これらプログラムを実行しているときに読み出される各種データ、および情報処理部２１３ａにて処理された各種データが保存される。情報処理部２１３ａは、情報処理部１０３ａと同様、各種プログラムを実行することにより、入力される情報や情報処理装置２１３に記憶されている情報を処理するコンピュータであり、例えば、ＣＰＵ（Central Processing Unit）、ＲＡＭ（Random Access Memory）、およびＲＯＭ（Read Only Memory）等からなる。
【０１１０】
つぎに、情報処理部２１３ａの処理内容を詳細に説明する。情報処理部２１３ａは、図１０に示すように、表示制御部２２１、受信部２２２、位置検出部２２３、抽出部２２４、補間部２２５、係数設定部２２６を備えている。なお、情報処理部２１３ａ自体はハードウェアであるが、情報処理部２１３ａの各部２２１〜２２６は、情報処理部２１３ａが実行するソフトウェアの各機能を示す機能ブロックである。
【０１１１】
表示制御部２２１は、表示制御部１２１と同じ処理を行うブロックである。つまり、表示制御部２２１は、図３に示すように、感度較正処理にて使用される較正用表示画像１３０を表示装置２０２の表示部２０２ａに表示させる。
【０１１２】
受信部２２２は、撮影装置２１１から動画を受信し、受信した動画に対して、後段での各種処理のために必要な前処理を行うようになっている。具体的には、受信部２２２は、動画を構成する各フレームを時系列の順序と対応付けて切り出す処理を行う。時系列の順序とは、撮影処理時において各フレームの記録された順序を指す。
【０１１３】
位置検出部２２３は、受信部２２２によって切り出された各フレームに示されるパターン領域１３１ａの重心の位置を検出するブロックである。なお、位置検出部２２３の検出処理の内容は、位置検出部１２３の検出処理の内容と同じであるため、説明を省略する。
【０１１４】
抽出部２２４は、前記動画から切り出された全フレームのうち、一部のフレームを較正用撮影画像として抽出するブロックである。
【０１１５】
具体的には、動画から切り出される全てのフレームの各々にはパターン領域１３１ａが１つずつ示されることになるが、抽出部２２４は、較正用撮影画像として抽出される複数のフレームから特定される全てのパターン領域１３１ａが撮影装置２１１の撮影範囲３４０上にて分散するように抽出対象となるフレームを決定する。つまり、較正用撮影画像として抽出される複数のフレームから特定される全てのパターン領域１３１ａを仮想的に同じ較正用撮影画像（静止画像）に示した場合に全てのパターン領域１３１ａが分散して配置されるように、抽出対象となるフレームが決定される。例えば、図１１に示すように、動画の撮影範囲３４０においてパターン領域１３１ａが軌跡３５０を描く場合、図１２に示すように、位置番号１〜４３の夫々に配置される各パターン領域１３１ａを示す各フレームが抽出される。
【０１１６】
抽出部２２４の処理を以下に説明する。まず、抽出部２２４は、図１１の始点に位置するパターン領域１３１ａを示すフレームと、図１１の終点に位置するパターン領域１３１ａを示すフレームとを、較正用撮影画像として抽出する。具体的には、動画を構成する全フレームのうち、時系列の順序が最初であるフレームを、始点にパターン領域１３１ａを示すフレームとし、時系列の順序が最後であるフレームを、終点にパターン領域１３１ａを示すフレームとする。
【０１１７】
次に、抽出部２２４は、図１１に示される軌跡３５０における極点の位置にパターン領域１３１ａを示すフレームを、較正用撮影画像として抽出する。ここで、極点とは、図１１の撮影範囲３４０において、左右方向（水平方向）に平行な方向をＸ軸とし、上下方向（垂直方向）に平行な方向をＹ軸とする場合において、軌跡３５０の極値に対応する位置を意味する。
【０１１８】
具体的には、つぎのようにして、極点にパターン領域１３１ａが示されているフレームを抽出する。抽出部２２４は、始点にパターン領域１３１ａを示すフレームと終点にパターン領域１３１ａを示すフレームとを除いて、動画を構成する各フレームを順に注目フレームとしていき、注目フレームに対して以下に示す極点判定処理を行う。
【０１１９】
まず、注目フレームをＦＲｎとし、時系列の順において、注目フレームの直前のフレームをＦＲｎ−１とし、注目フレームの直後のフレームをＦＲｎ+１とする。抽出部２２４は、ＦＲｎのパターン領域１３１ａのＸ座標値からＦＲｎ−１のパターン領域１３１ａのＸ座標値を引いた第１差分値と、ＦＲｎのパターン領域１３１ａのＸ座標値からＦＲｎ+１のパターン領域１３１ａのＸ座標値を引いた第２差分値とを求める。そして、抽出部２２４は、第１差分値の正負の符号が第２差分値の正負の符号と同一であり、第１差分値の絶対値が閾値以上、且つ、第２差分値の絶対値が閾値以上の注目フレームを、極点にパターン領域１３１ａを示すフレームとして判定する。
【０１２０】
これにより、図１１に示される第１極点にパターン領域１３１ａを示すフレーム、第２極点にパターン領域１３１ａを示すフレーム、および、第３極点にパターン領域１３１ａを示すフレームが抽出される。
【０１２１】
なお、図１１の例では、Ｘ軸方向の一端側から他端側までＸ軸方向に沿ってパターン領域１３１ａを移動させてから当該他端側から一端側までＸ軸方向に沿ってパターン領域１３１ａを移動させるようになっているため、Ｘ座標値の差分を閾値処理することで、極点にパターン領域１３１ａを示すフレームを特定しているが、Ｙ軸方向の一端側から他端側までＹ軸方向に沿ってパターン領域１３１ａを移動させてから当該他端側から一端側までＹ軸方向に沿ってパターン領域１３１ａを移動させるようになっている場合、Ｙ座標値の差分を閾値処理する。
【０１２２】
以上のようにして、始点、終点、複数の極点の各々に対応するフレームが抽出された後、抽出部２２４は、以下のＳ１〜Ｓ３を実行することによって、他のフレームを抽出する。
【０１２３】
Ｓ１：始点にパターン領域１３１ａを示すフレーム、終点にパターン領域１３１ａを示すフレーム、極点にパターン領域１３１ａを示すフレームを各々基準フレームとする。図１１の例では、始点にパターン領域１３１ａを示すフレーム、終点にパターン領域１３１ａを示すフレーム、第１極点にパターン領域１３１ａを示すフレーム、第２極点にパターン領域１３１ａを示すフレーム、第３極点にパターン領域１３１ａを示すフレームの各々が基準フレームとなる。
【０１２４】
Ｓ２：時系列の順において互いに隣り合う基準フレームのペアを特定し、ペアとなる基準フレーム間に存在する複数のフレームを一つのグループとし、前記ペア毎にグループを特定する。図１１の例では、始点に対応する基準フレームと第１極点に対応する基準フレームとの間の複数のフレームで第１グループが形成され、第１極点に対応する基準フレームと第２極点に対応する基準フレームとの間の複数のフレームで第２グループが形成され、第２極点に対応する基準フレームと第３極点に対応する基準フレームとの間の複数のフレームで第３グループが形成され、第３極点に対応する基準フレームと終点に対応する基準フレームとの間の複数のフレームで第４グループが形成される。
【０１２５】
Ｓ３：Ｓ２にて形成されたグループ毎に、較正用撮影画像とするフレームを抽出する処理を行う。一つのグループに対する処理を以下に説明する。一つのグループを形成する基準フレームのペアのうち、時系列順が前になる基準フレームを開始フレームとする。開始フレームに示されるパターン領域１３１ａから一定間隔毎の位置に配される各パターン領域１３１ａを示す各フレームを前記一つのグループから抽出する。この一定間隔としては例えば５０画素とする。
【０１２６】
例えば、図１１の始点に対応する基準フレームと第１極点に対応する基準フレームとの間の第１グループの場合、始点のパターン領域１３１ａの重心位置のＸ座標値に５０の倍数を加算した値を、パターン領域１３１ａの重心位置のＸ座標とするフレームが抽出される。これにより、図１２に示す位置番号２〜１０をパターン領域１３１ａの重心位置とする９個のフレームが較正用撮影画像として抽出される。
【０１２７】
また、例えば、図１１の第１極点に対応する基準フレームと第２極点に対応する基準フレームとの間の第２グループの場合、第１極点に対応する基準フレームのパターン領域１３１ａの重心位置のＸ座標値に５０の倍数を減算した値を、パターン領域１３１ａの重心位置のＸ座標とするフレームが抽出される。これにより、図１２に示す位置番号１２〜２１をパターン領域１３１ａの重心位置とする１０個のフレームが較正用撮影画像として抽出される。
【０１２８】
つまり、以上にて述べたＳ３によって、位置番号２〜１０、位置番号１２〜２１、位置番号２３〜３２、位置番号３４〜４２をパターン領域１３１ａの重心位置とする３８個のフレームが較正用撮影画像として抽出される。そして、既に抽出されている、始点に対応するフレーム、終点に対応するフレーム、第１極点に対応するフレーム、第２極点に対応するフレーム、第３極点に対応するフレームの５個のフレームをあわせると、４３個のフレームが較正用撮影画像として抽出されることになる。すなわち、図１２に示される各位置番号１〜４３は、抽出された較正用撮影画像に示される各パターン領域１３１ａの各位置を示している。
【０１２９】
つぎに、図１０に示される補間部２２５を説明する。補間部２２５は、抽出部２２４にて抽出された較正用撮影画像に示される複数のパターン領域１３１ａの各々の重心位置を用いて３点補間を行うことにより、撮影装置２１１の各画素の画素値を求める。具体的には以下のように処理が行われる。
【０１３０】
まず、補間部２２５は、抽出部２２４にて抽出された複数の較正用撮影画像の各々に示されるパターン領域１３１ａの重心位置を頂点とした三角形領域を複数設定する（図１３）。図１３に示すような三角形領域の設定手法としては、特定の手法に限定されるものではなく、周知のドロネー三角形分割を用いることが可能である。
【０１３１】
なお、抽出部２２４にて抽出された複数の較正用撮影画像から得られる全てのパターン領域１３１ａを用いてもよいし、一部のパターン領域１３１ａを除外して残った多数のパターン領域１３１ａを用いてもよい。
【０１３２】
例えば、抽出部２２４にて抽出された複数の較正用撮影画像から得られるパターン領域１３１ａが図１２に示される位置番号１〜４３に位置するものである場合、図１３に示されるように三角形領域Ａ１〜Ａ１０，Ａ−１〜Ａ−９，Ｂ１〜Ｂ１０，Ｂ−１〜Ｂ−９，Ｃ１〜Ｃ１０，Ｃ−１〜Ｃ−９が設定される。なお、図１３の例では、図１２に示される位置番号１〜４３のうち、位置番号２１および３２の夫々のパターン領域１３１ａが除外されている。これは、極点に対応するパターン領域１３１ａと近接している位置番号２１、３２のパターン領域１３１ａを除外することで、小面積の三角形領域が設定されることを回避したものである。
【０１３３】
続いて、補間部２２５は、図１３に示される三角形領域の各頂点を用いて三点補間を行うことにより、撮影装置２１１の各画素の画素値を求める。具体的には、以下のようにして処理を行う。
【０１３４】
まず、補間部２２５は、処理対象となる補間画素の属する三角形領域を探索する。探索手法としては、特定の手法に限定されるものではなく、周知の最近傍領域探索法を利用できる。
【０１３５】
そして、図１４に示すように、処理対象の補間画素をＱ（ＸＰ，ＹＰ）とし、補間画素Ｑの属する三角形領域の各頂点をＲ０（Ｘ０，Ｙ０），Ｒ１（Ｘ１，Ｙ１），Ｒ２（Ｘ２，Ｙ２）とし、Ｑ（ＸＰ，ＹＰ）の画素値をＷＱとし、Ｒ０の画素値をＷ０とし、Ｒ１の画素値をＷ１とし、Ｒ２の画素値をＷ２とする。そして、図１４に示すように、Ｒ０からＱに向かうベクトルを、Ｒ０からＲ１に向かう方向の成分αと、Ｒ０からＲ２に向かう方向の成分βとに分解する。
【０１３６】
ここで、数７の式（ｂ）を用いてα、βを求め、その後に式（ａ）を演算すれば、補間画素Ｑの画素値ＷＱを求めることができる。
【０１３７】
【数７】
0006577272.tif 000008
【０１３８】
また、補間部２２５は、処理対象となる補間画素Ｑ（ＸＰ，ＹＰ）の属する三角形領域が無い場合、補間画素Ｑから最近傍の三角形領域を探索する。探索手法としては、特定の手法に限定されるものではなく、周知の最近傍領域探索法を利用できる。
【０１３９】
そして、図１５に示すように、最近傍の三角形領域の各頂点をＲ０（Ｘ０，Ｙ０），Ｒ１（Ｘ１，Ｙ１），Ｒ２（Ｘ２，Ｙ２）とし、Ｑ（ＸＰ，ＹＰ）の画素値をＷＱとし、Ｒ０の画素値をＷ０とし、Ｒ１の画素値をＷ１とし、Ｒ２の画素値をＷ２とする。また、図１５に示すように、Ｒ０からＱに向かうベクトルを、Ｒ０からＲ１に向かう方向の成分αと、Ｒ０からＲ２に向かう方向の成分βとに分解する。この場合も、数７の式（ｂ）および式（ａ）を用いて補間画素Ｑの画素値ＷＱを求めることができる。
【０１４０】
つまり、図１５に示すように補間画素Ｑが三角形領域の外側にある場合でも、αおよびβを求めることができるので、図１４に示すケースと同様に補間画素Ｑの画素値ＷＱを求めることができる。
【０１４１】
補間部２２５は、撮影装置２１１の全ての画素について、処理対象となる補間画素として、以上にて説明した三点補間を行うことにより画素値を求める。補間部２２５が撮影装置２１１の全ての画素について画素値を求めた後、図１０に示す係数設定部２２６が処理を行うことになる。
【０１４２】
係数設定部２２６は、係数設定部１２５と同じ処理を行うブロックである。すなわち、係数設定部２２６は、補間部１２４によって求められた撮影装置１０１ａの各画素の画素値（所定色を読み取る場合の予想値）に基づいて、各画素に対して適用する補正係数を画素毎に設定する。具体的な処理内容は、実施形態１で説明済みであるため、省略する。
【０１４３】
係数設定部２２６は、各画素の補正係数を記憶部２１３ｂに保存する。これにより、感度較正処理が終了する。
【０１４４】
図１６は、較正用表示画像１３０のパターン領域１３１の所定色を（Ｒ，Ｇ，Ｂ）＝（２５５，２５５，０）とした場合において、本実施形態（手動）にて得られた各画素の色成分毎の画素値（補間部２２５にて得られる画素値）と、輝度箱を用いて撮影装置の全画素に略均一な所定色の光を照射した場合に各画素にて検出される色成分毎の画素値とを示した図である。なお、図１６の縦軸の値は、比較を容易にするために、画素値を０〜１の範囲に置換した値である。図１６によれば、輝度箱を用いない本実施形態の感度較正処理であっても、輝度箱を用いる場合と同様の感度分布を得ることができることがわかる。よって、本実施形態の感度較正処理によれば、輝度箱のような高価で可搬性に欠く装置を用いなくても、輝度箱を用いる場合と同程度に感度較正を行うことができる。
【０１４５】
なお、本実施形態の補間部２２５は、図１３に示す三角形領域の各頂点を用いた三点補間によって撮影装置２１１の各画素の画素値を求めているが、以下のようになっていてもよい。
【０１４６】
補間部２２５は、図１３に示す三角形領域を設定した後、最初に、三角形領域の各頂点を用いた三点補間によって、図５に示す５×５の格子の各交点上の画素の画素値を求める。つぎに、補間部２２５は、図５に示す５×５の格子の各交点上の画素を格子点として格子点補間を行うことにより、撮影装置２１１の各画素の画素値を求める。このようにすれば、三角補間よりも格子点補間の方が、処理が簡易であるため、コンピュータの処理負担を軽減できる。
【０１４７】
なお、実施形態１では格子点補間を説明し、実施形態２では三点補間を説明したが、実施形態１、２共に、格子点補間や三点補間以外の周知・慣用の補間処理を用いても勿論かまわない。
【０１４８】
また、以上の実施形態では、抽出部２２４は、始点、終点、極点にパターン領域１３１ａを示すフレーム以外で、較正用撮影画像として抽出するフレームを前記のＳ１〜Ｓ３の処理によって決めている（つまり、各フレームのパターン領域１３１ａの重心の座標値を参照して、抽出される各フレームのパターン領域１３１ａが所定間隔毎に配置されるように、抽出するフレームを決めている）。しかし、パターン領域１３１ａの重心の座標値を参照することなく、別の手法を用いて、抽出するフレームを決めてもよい。
【０１４９】
例えば、抽出部２２４は、動画を構成するフレームをＦＲｎとし（ｎは、時系列の順序を示す番号１〜ｍである）、フレームＦＲ１を始点に対応するフレームとし、フレームＦＲmを終点に対応するフレームとして抽出する。また、抽出部２２４は、“ｎ=所定数の倍数”となっているフレームを抽出する。このように、フレームの順番を使って抽出するフレームを決定することも可能である。なお、この場合、前述した極点判定処理を行って、抽出されたフレームのなかから極点に対応するフレームを特定すればよい。
【０１５０】
なお、図１０に示す抽出部２２４の後段であって、補間部２２５の前段において、抽出部２２４にて抽出された複数の較正用撮影画像の各々を合成することにより、複数の較正用撮影画像の各々に示されている全てのパターン領域１３１ａを示した合成画像を作成する合成画像作成部が情報処理部２１３ａに備えられていてもよい。つまり、当該合成画像は、図１２に示すように、４３個のパターン領域１３１ａが示されている画像である。この場合、補間部２２５は、前記合成画像を参照することで、４３個のパターン領域１３１ａの各々の重心位置を特定して処理を行うことになる。これにより、データ処理を高速に行うことができるようになる。
【０１５１】
（実施例１）
図１３に示す各三角形領域を設定するためのアルゴリズムの一例を説明する。
【０１５２】
まず、抽出部２２４にて抽出された複数の較正用撮影画像から得られるパターン領域１３１ａは、４３個あり、図１２に示される位置番号１〜４３に位置しているものとする。ここで、図１２の位置番号１〜４３は、夫々、パターン領域１３１ａの位置を示しているだけでなく、撮影処理において記録（取得）された順番（時系列の順序）を示している。つまり、位置番号１のパターン領域１３１ａが最も先に取得されており、位置番号２〜４３の各々のパターン領域１３１ａは位置の番号の小さい順から順に取得されている。
【０１５３】
まず、補間部２２５の処理の前に、位置検出部２２３が動画を構成する各フレームのパターン領域１３１ａの重心位置の座標値を求めているため、図１２の位置番号１〜４３の各々のパターン領域１３１ａの重心位置の座標値も、勿論、位置検出部２２３によって求められている。図１７Ａは、各位置番号（図１２の１〜４３）のパターン領域１３１ａの各々についての重心位置の座標値（Ｘ，Ｙ）を示したものである。
【０１５４】
ここで、補間部２２５は、図１７Ａに示すように、位置番号１〜４３のパターン領域１３１ａの各々について、時系列の順序が直前のパターン領域１３１ａとの距離distを求める。例えば、図１７Ａにおいて、位置番号２に対応付られているdist６６．１５は、位置番号２のパターン領域１３１ａの重心位置から、位置番号１のパターン領域１３１ａの重心位置までの距離を示す。また、位置番号３に対応付られているdist６３．０４は、位置番号３のパターン領域１３１ａの重心位置から、位置番号２のパターン領域１３１ａの重心位置までの距離を示す。
【０１５５】
補間部２２５は、位置番号１〜４３のパターン領域１３１ａの各々について、位置番号が直前のパターン領域１３１ａとの距離distが閾値（例えば３０）未満であれば、位置番号が直前のパターン領域１３１ａを除外するか、位置番号が直前のパターン領域１３１ａとの距離distが閾値未満となるパターン領域１３１ａを除外する。
【０１５６】
ここでは、距離distが閾値未満となる位置番号２２の直前の位置番号２１のパターン領域１３１ａと、距離distが閾値未満となる位置番号３３の直前の位置番号３２のパターン領域１３１ａとが除外されるものとする。図１７Ｂは、以上のようにして一部のパターン領域１３１ａが除外された後に残った各パターン領域の位置番号（１〜２０、２２〜３１、３３〜４３）が示されている。
【０１５７】
以上の処理によれば、図１２に示すように極点に近接する位置番号２１、３２にパターン領域１３１ａが有る場合、極点のパターン領域１３１ａ若しくは極点に近接する位置番号２１、３２のパターン領域１３１ａを除外できる。それゆえ、後に小さな三角形領域が設定されることを抑制できるのである（始点、極点、終点に対応するフレームと、それ以外のフレームとで抽出部２２４の抽出条件が異なるため、図１２に示すように極点に近接する位置番号２１、３２にパターン領域１３１ａが存在してしまうことがある。そのため、このように極点に近接する位置番号のパターン領域１３１ａを除外している）。
【０１５８】
続いて、補間部２２５は、一部のパターン領域１３１ａが除外された後に残った各パターン領域１３１ａをグループ分けする。具体的には、図１７Ｂに示すように、始点のパターン領域（位置番号１）、各極点の各パターン領域（位置番号１１、２２、３３）、終点のパターン領域（位置番号３３）を境界とし、時系列の順において隣り合う境界間に位置することになるパターン領域が一つのグループとして纏められる。つまり、図１７Ｂの例では、位置番号２〜１０のパターン領域１３１ａがグループ（Ｇｒ．）１となり、位置番号１２〜２０のパターン領域１３１ａがグループ２となり、位置番号２３〜３１のパターン領域１３１ａがグループ３となり、位置番号３４〜４２のパターン領域１３１ａがグループ４となる。
【０１５９】
さらに、補間部２２５は、時系列の順において互いに隣り合うグループの組と、この組の各グループを形成するための境界となるパターン領域（始点、終点、または、極点）とを集合させる。図１７Ｂの例では集合Ａ〜Ｃが形成される。集合Ａは、グループ１に属するパターン領域１３１ａと、グループ２に属するパターン領域１３１ａと、始点（位置番号１）、極点（位置番号１１、２２）の各パターン領域１３１ａとからなる。集合Ｂは、グループ２に属するパターン領域１３１ａと、グループ３に属するパターン領域１３１ａと、極点（位置番号１１、２２、３３）の各パターン領域１３１ａとからなる。集合Ｃは、グループ３に属するパターン領域１３１ａ、グループ４に属するパターン領域１３１ａと、極点（位置番号２２、３３）、終点（位置番号４３）の各パターン領域１３１ａとからなる。
【０１６０】
続いて、補間部２２５は、図１７Ｂに示すように、集合ごとに、以下に示すルール１を用いて各位置番号のパターン領域１３１ａに対して３つの三角領域形成用番号を与えていく。
【０１６１】
ルール１
（ａ）位置番号が最も小さいパターン領域を先頭として位置番号が増加する順に、各パターン領域に三角領域形成用番号を与えていく。
（ｂ）位置番号が２番目に小さいパターン領域を先頭として位置番号が増加する順に、各パターン領域に三角領域形成用番号を与えていく。
（ｃ）位置番号が最も大きいパターン領域を先頭にして位置番号が減少する順序で、各パターン領域に三角領域形成用番号を与えていく。
なお、一つのパターン領域に対して、同じ三角領域形成用番号が２つ与えられると、（ａ）〜（ｃ）の全てにおいて当該三角領域形成用番号と同じ番号が削除され、且つ、三角領域形成用番号を与える処理を終了する（図１７Ｂのルール１、ルール２の欄において、網掛けされて取り消し線が付されている番号が、削除された三角領域形成用番号である）。
【０１６２】
そして、補間部２２５は、ルール１にて与えられた同じ三角領域形成用番号を持つパターン領域同士で三角形領域を形成する。例えば、図１７Ｂにおいて、位置番号１、２、２２のパターン領域１３１ａに同じ三角形成領域用番号（１）が与えられているが、位置番号１、２、２２のパターン領域１３１ａで図１３の三角形領域Ａ１が形成されることになる。なお、図１３の三角形領域Ａ１〜Ａ１０、Ｂ１〜Ｂ１０、Ｃ１〜Ｃ１０は、ルール１にて得られるものである。
【０１６３】
同様に、補間部２２５は、集合ごとに、以下に示すルール２を用いて各位置番号のパターン領域１３１ａに対して３つの三角領域形成用番号を与えていく。
【０１６４】
ルール２
（ｄ）位置番号が２番目に小さいパターン領域を先頭として位置番号が増加する順序で、各パターン領域に三角領域形成用番号を与えていく。
（ｅ）位置番号が２番目に大きいパターン領域を先頭として位置番号が減少する順序で、各パターン領域に三角領域形成用番号を与えていく。
（ｆ）位置番号が最も大きいパターン領域を先頭として位置番号が減少する順序で、各パターン領域に三角領域形成用番号を与えていく。
なお、ルール２でも、ルール１と同様、一つのパターン領域に対して、同じ三角領域形成用番号が２つ与えられると、（ｄ）〜（ｅ）の全てにおいて当該三角領域形成用番号と同じ番号が削除され、且つ、三角領域形成用番号を与える処理を終了する（なお、ルール１では（ａ）および（ｃ）のように三角領域形成用番号が付与され、ルール２では（ｄ）および（ｅ）のように三角形成用番号が付与されることから、必ず一つのパターン領域に対して同じ三角領域形成用番号が２つ与えられるようになっている）。
【０１６５】
そして、補間部２２５は、ルール２にて与えられた同じ三角領域形成用番号を持つパターン領域同士で三角形領域を形成する。例えば、図１７Ｂにおいて、位置番号２、２２、２０のパターン領域１３１ａに同じ三角形成領域用番号（１）が与えられているが、位置番号２、２２、２０のパターン領域１３１ａで図１３の三角形領域Ａ‐１が形成されることになる。なお、図１３の三角形領域Ａ−１〜Ａ‐９、Ｂ‐１〜Ｂ‐９、Ｃ‐１〜Ｃ‐９は、ルール２にて得られるものである。
【０１６６】
以上示したルール１およびルール２を実行することにより、図１３に示すように三角形領域が形成されるのである。
【０１６７】
なお、図１７Ｂの例では各グループ内のパターン領域数はいずれも９個になり、このようにグループ毎のパターン領域数が均等になることが望ましいが、グループ領域毎のパターン領域数が異なっていても問題ない。
【０１６８】
図１８は、グループ１に属する位置番号１０のパターン領域１３１ａが無かったとした場合のルール１およびルール２による処理結果を示し、図１９は、図１８の処理結果によって得られる三角形領域を示す。図１８および図１９から明らかであるが、異なるグループ同士でパターン領域１３１ａの数が異なっていても、問題無く三角形領域を形成できることがわかる。
【０１６９】
また、図２０は、グループ２に属する位置番号１２のパターン領域１３１ａが無かったとした場合のルール１およびルール２による処理結果を示し、図２１は、図２０の処理結果によって得られる三角形領域を示す。図２０および図２１の例では、集合Ａのみならず集合Ｂにも、位置番号１２のパターン領域１３１ａが無い影響が及ぶことになるが、問題無く三角形領域を形成できることがわかる。
【０１７０】
実施例１ではドロネー三角形分割のアルゴリズムの一例を説明したが、勿論、実施例１の内容に限定されるものではなく、図１３に示したような三角形領域を形成するための手法であればいかなる手法であっても適用できる。
【０１７１】
（実施例２）
図１３のように複数の三角形領域が形成されると、補間部２２５は、処理対象となる補間画素の属する三角形領域を探索するが、実施例２では、この探索手法の一例を説明する。
【０１７２】
＜準備処理＞
図２２に示すように、時計回りの回転方向を正の方向とする座標系において、頂点Ｔ１〜Ｔ３のうち最もＹ座標値の小さな頂点をＴ１とし、Ｔ１を起点としてＴ２、Ｔ３を順に経てＴ１に向かうように辺上を移動する方向を基準方向として、基準方向が反時計回りの方向と一致する三角形を基準三角形とする。
【０１７３】
そして、補間部２２５は、図１３に示す三角形領域ごとに、三角形領域の各頂点を基準三角形の各頂点Ｔ１（Ｔ１ｘ，Ｔ１ｙ）、Ｔ２（Ｔ２ｘ，Ｔ２ｙ）、Ｔ３（Ｔ３ｘ，Ｔ３ｙ）に対応付ける処理を行う。具体的には、図１３に示す三角形領域ごとに、以下のＳ１１〜Ｓ１３が行われることになる。なお、三角形領域の各頂点は、各パターン領域１３１ａの重心位置である。
Ｓ１１：最もＹ座標値の小さな頂点をＴ１とする。最もＹ座標値の小さな頂点が２つの場合は、それらのうち、Ｘ座標値の小さい方をＴ１とする。
Ｓ１２：Ｔ１以外の２つの頂点をそれぞれＫ２（Ｋ２ｘ，Ｋ２ｙ）、Ｋ３（Ｋ３ｘ，Ｋ３ｙ）とし、Ｔ１からＫ２へ向かうベクトルをＴ１Ｋ２とし、Ｔ１からＫ３へ向かうベクトルをＴ１Ｋ３とし、Ｔ１Ｋ２とＴ１Ｋ３との外積であるＴ１Ｋ２×Ｔ１Ｋ３を求める。
Ｓ１３：（Ｔ１Ｋ２×Ｔ１Ｋ３）＜０であれば、Ｔ２＝Ｋ２且つＴ３＝Ｋ３とする。（Ｔ１Ｋ２×Ｔ１Ｋ３）＞０であれば、Ｔ２＝Ｋ３且つＴ３＝Ｋ２とする。
なお、Ｔ１Ｋ２×Ｔ１Ｋ３＝（Ｋ２ｘ−Ｔ１ｘ）×（Ｋ３ｙ−Ｔ１ｙ）−（Ｋ２ｙ−Ｔ１ｙ）×（Ｋ３ｘ−Ｔ１ｙ）
である。
【０１７４】
図１３に示す三角形領域ごとに以上の処理を行った結果が図２３である。図２３において、Ｔ１〜Ｔ３の各欄に示される値は、図１３に示される三角形領域の各頂点に対応する位置番号である。また、図２２に示される三角形領域Ａ１は、図１３の三角形領域Ａ１に対する処理結果を示したものである。
【０１７５】
＜判定処理＞
準備処理が終了すると、補間部２２５は以下に示す判定処理を行う。まず、補間部２２５は、処理対象となる補間画素を点Ｑ(Ｑｘ，Ｑｙ)とし、図１３に示す全ての三角形領域を構成する全ての頂点（位置番号１〜２０、２２〜３１、３３〜４３の各々に位置する頂点）のなかから、点Ｑとの間で最も距離が短い頂点（最近傍点と称す）を求める。なお、最近傍点が複数ある場合、全ての最近傍点を以下の処理に用いる。
【０１７６】
続いて、補間部２２５は、最近傍点を頂点とする全ての三角形領域を特定し、特定された三角形領域の中のいずれか一つを注目三角形として、点Ｑが注目三角形の内部にあるか否かの判定を行う。判定の内容を以下に説明する。
【０１７７】
まず、図２２または図２４に示すように、注目三角形の座標系において時計回りの方向が正の回転方向となる。そして、注目三角形の各頂点において、（１）頂点から点Ｑに向かうベクトルを基準ベクトルとし、（２）頂点から基準方向に向けて隣の頂点へ向かうベクトルを辺ベクトルとし、（３）基準ベクトルの始点を軸として、−１８０°〜１８０°の間の回転角度で基準ベクトルを辺ベクトルに一致させるように回転させる際の回転角度をθとする。この場合、図２４に示すように、頂点Ｔ１についての前記角度はθ１であり、頂点Ｔ２についての前記角度はθ２であり、頂点Ｔ３についての前記角度はθ３となる。
【０１７８】
すると、図２４に示すように、点Ｑが注目三角形の内部にある場合、θ１〜θ３はいずれも正の値になる。これに対し、図２５または図２６に示すように、点Ｑが注目三角形の外部にある場合、θ１〜θ３のうちの１つ以上が負の値になる（図２５ではθ３が負である。図２６ではθ２およびθ３が負である）。また、θ１〜θ３のいずれかが０であれば、点Ｑは、いずれかの辺上、若しくは、いずれかの辺の延長線上にある。
【０１７９】
それゆえ、θ１〜θ３の符号がわかれば、点Ｑが注目三角形の内部にあるか否かを判定できる。
【０１８０】
ここで、頂点Ｔ１に対応するθ１の符号は、Ｔ１からＱへ向かう基準ベクトルＴ１Ｑと、Ｔ１からＴ２へ向かう辺ベクトルＴ１Ｔ２との外積であるＴ１Ｑ×Ｔ１Ｔ２の符号と一致する。また、θ１が０であれば、Ｔ１Ｑ×Ｔ１Ｔ２も０になる。
【０１８１】
同様に、頂点Ｔ２に対応するθ２の符号は、Ｔ２からＱへ向かう基準ベクトルＴ２Ｑと、Ｔ２からＴ３へ向かう辺ベクトルＴ２Ｔ３との外積であるＴ２Ｑ×Ｔ２Ｔ３の符号と一致する。また、θ２が０であれば、Ｔ２Ｑ×Ｔ２Ｔ３も０になる。
【０１８２】
さらに、同様に、頂点Ｔ３に対応するθ３の符号は、Ｔ３からＱへ向かう基準ベクトルＴ３Ｑと、Ｔ３からＴ１へ向かう辺ベクトルＴ３Ｔ１との外積であるＴ３Ｑ×Ｔ３Ｔ１の符号と一致する。また、θ３が０であれば、Ｔ３Ｑ×Ｔ３Ｔ１も０になる。
【０１８３】
そこで、補間部２２５は、Ｔ１Ｑ×Ｔ１Ｔ２と、Ｔ２Ｑ×Ｔ２Ｔ３と、Ｔ３Ｑ×Ｔ３Ｔ１との３つの外積を求める。
なお、
Ｔ１Ｑ×Ｔ１Ｔ２＝（Ｑｘ−Ｔ１ｘ）×（Ｔ２ｙ−Ｔ１ｙ）−（Ｑｙ−Ｔ１ｙ）×（Ｔ２ｘ−Ｔ１ｙ）
Ｔ２Ｑ×Ｔ２Ｔ３＝（Ｑｘ−Ｔ２ｘ）×（Ｔ３ｙ−Ｔ２ｙ）−（Ｑｙ−Ｔ２ｙ）×（Ｔ３ｘ−Ｔ２ｙ）
Ｔ３Ｑ×Ｔ３Ｔ１＝（Ｑｘ−Ｔ３ｘ）×（Ｔ１ｙ−Ｔ３ｙ）−（Ｑｙ−Ｔ３ｙ）×（Ｔ１ｘ−Ｔ３ｙ）
である。
【０１８４】
補間部２２５は、３つの外積が全て正であれば、注目三角形の内部に点Ｑが存在すると判定する。この場合、補間部２２５は、注目三角形を点Ｑの補間処理に利用する三角形領域と判定し、点Ｑの最近傍点を頂点とする他の三角形領域に対する処理を打ち切る。
【０１８５】
補間部２２５は、３つの外積のいずれかが負であれば、注目三角形の外部に点Ｑが存在すると判定する。この場合、補間部２２５は、注目三角形を、点Ｑの最近傍点を頂点とする他の三角形領域に変更して、以上の処理を繰り返す。
【０１８６】
補間部２２５は、３つの外積のうちの１つが０であり、且つ、その他の外積の符号が０以上であれば、点Ｑは注目三角形の返上若しくは頂点上になる（点Ｑは注目三角形の内部に位置する）。この場合、補間部２２５は、注目三角形を点Ｑの補間処理に利用する三角形領域と判定し、点Ｑの最近傍点を頂点とする他の三角形領域に対する処理を打ち切る（この場合、注目三角形に隣接する三角形があれば、当該三角形も点Ｑを含むことになり、いずれの三角形を用いてもよいが、先に検出された方を優先させているのである）。
【０１８７】
そして、補間部２２５は、点Ｑについて、最近傍点を頂点とするすべての三角形領域を注目三角形として処理を行っても、点Ｑを内部に含む注目三角形を検出できなければ、いずれの三角形領域にも属さない外部領域に点Ｑが位置すると判定する。
【０１８８】
＜外部領域の場合の選択方法＞
外部領域に位置する点Ｑの補間処理に使用する三角形領域の選択手法の一例を以下に説明する。
【０１８９】
まず、補間部２２５は、図１３に示される全ての三角形領域以外の領域（外部領域）を以下のように分割する。
【０１９０】
補間部２２５は、図１３に示す始点、終点、極点のうちの２つを両端とする各辺を特定する。例えば、図２７に示す領域においては、位置番号１と２２との間の辺と、位置番号２２と４３との間の辺とが特定される。図１３に示すように、補間部２２５は、これらの辺に隣接する外部領域を、各辺の両端からＸ軸に平行に延びる境界線によって分割する。
【０１９１】
また、補間部２２５は、図１３に示す始点、終点、極点以外の２点を両端とする各辺と、始点、終点、極点のいずれかを一方の端部として、始点、終点、極点以外の点を他方の端部とした各辺とを特定する。例えば、図２７に示す領域においては、位置番号１と２との間の辺と、位置番号２と３との間の辺と、位置番号４３と４２との間の辺とが特定される。補間部２２５は、これらの辺に隣接する外部領域を、これらの辺の両端からＹ軸に平行に延びる境界線によって分割する。
【０１９２】
これにより、図２７に示す領域においては、外部分割領域Ｅ１〜Ｅ７が形成されることになる。
【０１９３】
そして、補間部２２５は、外部領域に位置する点Ｑの属する外部分割領域を探索する。さらに、補間部２２５は、点Ｑの属する外部分割領域に隣接する三角形領域を用いて、点Ｑに対する補間演算を行う。例えば、図２７に示す外部分割領域Ｅ１，Ｅ３に位置する点Ｑについては、三角形領域Ａ１を用いて補間演算を行う。同様に、外部分割領域Ｅ２に位置する点Ｑについては三角形領域Ａ２を用いて補間演算を行い、外部分割領域Ｅ４に位置する点Ｑについては三角形領域Ｃ１を用いて補間演算を行い、外部分割領域Ｅ５に位置する点Ｑについては三角形領域Ｃ‐１を用いて補間演算を行う。
【０１９４】
なお、補間演算の際のベクトルの基点（図１４のＲ０）は、外部分割領域と三角形領域との間の辺の対角とする。つまり、外部分割領域Ｅ１に位置する点Ｑを補間演算する場合、三角形領域Ａ１が用いられるが、この場合は位置番号２２が基点となる。これに対し、外部分割領域Ｅ３に位置する点Ｑを補間演算する場合も、三角形領域Ａ１が用いられるが、この場合は位置番号２が基点となる。
【０１９５】
なお、角部の外部分割領域Ｅ６，Ｅ７に位置する点Ｑについては、三角形領域の各頂点のうち、点Ｑから最近傍に位置する頂点の画素値をそのまま用いてもよい。あるいは、最近傍に位置する頂点を含む三角形領域のうち、重心（各頂点のＸ座標値およびＹ座標値それぞれの平均を座標とする点）がもっとも近い三角形領域を選択し、この三角形領域を用いて補間演算を行ってもよい。
【０１９６】
［実施形態３］
実施形態２の抽出部２２４は、前述したＳ１〜Ｓ３の処理によって、始点、終点、極点以外のパターン領域１３１ａを示すフレームのうち、較正用撮影画像として抽出するフレーム（図１２の位置番号２〜１０，１２〜２１，２３〜３２、３２〜４２に対応するフレーム）を決定しているが、Ｓ１〜Ｓ３の処理に限定されるものではない。
【０１９７】
例えば、図２８に示すように、始点のＸ座標値に所定値を加算した値を、Ｘ座標の基準値とする。そして、重心位置のＸ座標値が基準値であるパターン領域１３１ａのフレーム、および、重心位置のＸ座標値が基準値に対して所定値の倍数を加算した値になるパターン領域１３１ａのフレームを、較正用撮影画像として抽出するようになっていてもよい。この場合、形成される三角形領域は図２９のようになる。
【０１９８】
［実施形態４］
図８に示す較正システム３００のように、表示装置１０２の表示制御部１０２ｂが表示部１０２ａを制御して表示部１０２ａに較正用表示画像１３０を表示させるようになっていてもよい。図８に示す構成の場合、較正用表示画像１３０の画像データを保存したリムーバブルメディア（例えばＵＳＢメモリ）が表示装置１０２に挿入されることで前記画像データが表示装置１０２に入力され、表示制御部１０２ｂが、当該画像データを参照して表示部１０２ａに較正用表示画像１３０を表示させることになる。図８の構成によれば、情報処理装置１０３と表示装置１０２とが接続されている必要がなく、図１に示すようなＤＶＩが不要である。
【０１９９】
［実施形態５］
以上示した各実施形態では、表示装置に表示される較正用表示画像１３０に示される所定色のパターン領域１３１を撮影装置に撮影させて得られる撮影画像を用いて感度較正処理が行われているが、撮影装置の撮影対象は、均一に所定色を示すものであればよく、表示装置に表示される較正用表示画像１３０のパターン領域１３１に限定されるものではない。
【０２００】
例えば、以上示した各実施形態において、表示装置の代わりに、所定色を発光する安定化光源を設置し、周囲を暗室の状態にした上で安定化光源（撮影対象）を撮影装置に撮影させて得られる撮影画像を用いて感度較正処理が行われるようになっていてもよい。これにより、黒色の背景領域上に所定色のパターン領域（安定化光源の光）が示される撮影画像を取得できる。
【０２０１】
［実施形態６］
以上の実施形態１では、所定色のパターン領域１３１ａを示した較正用撮影画像から各画素の補正係数を設定する構成であり、所定色は白色であった。つまり、得られる補正係数は白色に対応するもののみであった。
【０２０２】
これに対し、互いにパターン領域１３１の色（所定色）を異ならせる複数の較正用表示画像１３０を予め準備しておき、較正用表示画像１３０毎に、較正用撮影画像を取得して各画素の補正係数を設定するようになっていてもよい。ここで、使用される所定色の組み合わせとしては、互いに輝度を異ならせる複数のグレー色が挙げられる（例えば、輝度値が６４、１２８、１９２を示す各グレー色）。なお、グレー色とは、グレースケールに示される色であり、白色も含まれる。
【０２０３】
なお、本実施形態においては、互いに輝度の異なるグレー色ごとに補正係数が求められることになるが、求められた補正係数を線形補間やスプライン補間することで、画素値と補正係数との関係を示したテーブルを作成できる。
【０２０４】
例えば、ある画素について、低輝度のグレー色の撮影によって画素値６４に対応する補正係数が得られ、中輝度のグレー色の撮影によって画素値１２８に対応する補正係数が得られ、高輝度のグレー色の撮影によって画素値１９２に対応する補正係数とが得られた場合、図９に示すようなテーブルを得ることができる。そして、このテーブルを用いて画素値の補正を行えば、画素値のレベルごとに、夫々のレベルに適した補正係数を設定することができる。
【０２０５】
本実施形態の構成は、撮影装置１０１ａの各画素の画素値の分布特性に輝度依存性がある場合に適している。また、本実施形態の構成は、実施形態１のみならず、実施形態２の構成にも勿論適用できる。
【０２０６】
［実施形態７］
また、互いにパターン領域１３１の色（所定色）が異なる較正用表示画像１３０毎に、較正用撮影画像を取得して各画素の補正係数を設定する場合、使用される所定色の組み合わせとしては、周知の色空間における色成分の組み合わせが挙げられる。例えば、所定色の組み合わせは、赤、緑、青の組み合わせであってもよいし、シアン、マゼンタ、黄色の組み合わせであってもよい。
【０２０７】
また、使用される所定色の組み合わせとして、互いに異なる種類の複数の色空間の全ての色成分の組み合わせとしてもよいし、互いに異なる種類の複数の色空間の全ての色成分のうちの一部の色成分の組み合わせであってもよい。つまり、使用される所定色の組み合わせは、赤、緑、青、シアン、マゼンタ、黄色の組み合わせであってもよいし、例えば、赤、緑、青、黄色の組み合わせといったものであってもよい。
【０２０８】
また、使用される所定色の組み合わせとして色成分の組み合わせを使用する場合、単一の色成分あたりで、互いに明度（階調値）を異ならせる複数の較正用表示画像を用意し、当該複数の較正用表示画像の各々について各画素の補正係数を設定するようになっていてもよい。例えば、赤色成分については、階調値が１２８の赤色をパターン領域とした較正用表示画像と、階調値が１９２の赤色をパターン領域とした較正用表示画像とを用意し、緑色成分および青色成分の各々についても同様に階調値が互いに異なる２つの較正用表示画像を用意する。つまり、この場合、互いにパターン領域の所定色が異なる６つの較正用表示画像（１２８の赤、１９２の赤、１２８の緑、１９２の緑、１２８の青、および、１９２の青）の各々について、較正処理が行われることで補正係数が設定される。
【０２０９】
また、使用される所定色として、複数の色成分の混色であってもよい。例えば、赤と緑との混色と、緑と青との混色と、青と赤との混色との組み合わせを使用できる。
【０２１０】
そして、本実施形態においては、画素毎に、３次元の色空間上の複数の点の各々において補正係数が求められることになるため、例えば４面体補間によって、３次元の色値（例えばＲＧＢ値）と補正係数との関係を示した３Ｄ−ＬＵＴを作成できる。
【０２１１】
本実施形態は、撮影装置の各画素の画素値の分布特性に色依存性がある場合に適している。なお、所定色として前記の混色を用いる場合には、撮影装置１０１ａの撮像素子のＣＦＡの分光特性と表示装置１０２の表示特性とから適した混色を選択することが好ましい。
【０２１２】
また、実施形態１のように撮影ユニット１０１を情報処理装置１０３側が制御する構成において、実施形態６や本実施形態のように互いにパターン領域１３１の所定色が異なる較正用表示画像１３０毎に補正係数を求める処理を適用する場合、図２に示すように情報処理装置１０３の側に表示制御部１２１がある構成の方が好ましい。
【０２１３】
これにより、撮影制御と、撮影画像の処理と、較正用表示画像１３０の切り替え（所定色の切り替え）とを連動させることができるからである。例えば、較正用表示画像１３０の撮影と較正用表示画像１３０の切り替えとを交互に行うことで複数の較正用表示画像１３０の各々の撮影を行った後、撮影装置１０１ａを動かして撮影位置を変更し、その後に再度較正用表示画像１３０の撮影と較正用表示画像１３０の切り替えとを交互に行うことで複数の較正用表示画像１３０の各々の撮影を行うといったことが可能である。つまり、撮影制御、解析処理（撮影画像の解析処理）、表示制御、駆動装置１０１ｂの駆動制御を情報処理装置１０３に一括して行わせることができる。
【０２１４】
また、実施形態６と７とを組み合わせてもよい。つまり、例えば、使用される所定色の組み合わせとして、周知の色空間における色成分の組み合わせの他に、互いに輝度を異ならせる複数のグレー色を含めてもよい。
【０２１５】
［ソフトウェアによる実現例］
情報処理部１０３ａ・２１３ａは、上述の通り、ＣＰＵを用いてソフトウェアにて実現してもよいし、集積回路等に形成された論理回路によって実現してもよい。なお、ソフトウェアによる場合、情報処理部１０３ａ・２１３ａは、前記ソフトウェアであるプログラムがコンピュータ（またはＣＰＵ）で読み取り可能に記録されたＲＯＭまたは記憶装置等の記録媒体を備えている。上記記録媒体としては、例えば、カード、ディスク、半導体メモリ、プログラマブルな論理回路などの「一時的でない有形の媒体」であってもよい。また、上記プログラムは、任意の伝送媒体（通信ネットワークや放送波等）を介して上記コンピュータに伝送されてもよい。なお、本発明の一態様は、上記プログラムが電子的な伝送によって具現化された、搬送波に埋め込まれたデータ信号の形態でも実現され得る。
【０２１６】
［まとめ］
本発明の態様１は、撮影装置の各画素の画素値に適用される各画素の補正係数を設定することで、前記撮影装置の各画素の感度を較正する較正装置であって、前記撮影装置によって所定色の撮影対象を撮影して取得される画像を較正用撮影画像とすると、前記撮影対象が示される画像領域の位置を互いに異ならせるようにして取得された複数の較正用撮影画像の各々の前記画像領域を用いて補間処理を行うことにより、前記撮影装置の各画素の画素値を求める補間部と、前記補間部にて求められる画素値を参照して前記補正係数を設定する係数設定部と、を備えたことを特徴とする。
【０２１７】
本発明の態様１によれば、撮影装置の全ての画素に対して一律に所定色を読み取らせなくても、撮影装置の全ての画素について、前記所定色を読み取らせた場合に得られる画素値に近い画素値を補間演算で求めることができる（撮影装置の全画素全体で感度特性にバラツキがあっても、近傍の画素同士では感度特性の差が少ない。それゆえ、全ての画素に対して一律に所定色を読み取らせなくても、一部の画素に所定色を読み取らせて補間演算を行えば、各画素において、前記所定色を読み取らせた場合に得られる画素値に近い画素値を得ることができるのである）。そして、全ての画素について補間演算で前記画素値を求めることで撮影装置の感度特性が明らかになるので、前記補正係数を設定でき、これにより感度較正が可能となる。
【０２１８】
ここで、従来技術であれば、撮影装置の全ての画素に対して一律に所定色を読み取らせるために輝度箱や積分球が用いられるのであるが、本発明によれば、撮影装置の全ての画素に対して一律に所定色を読み取らせる必要がないため、輝度箱や積分球が不要になる。それゆえ、本発明の構成によれば、撮影装置の感度の較正を簡易に行えるという効果を奏する。
【０２１９】
なお、特許文献２には、撮影装置のキャリブレーション方法が示されているが、この方法は位置ずれや角度ずれを補正するものであり、本発明のように画素の感度を較正するものではない。
【０２２０】
本発明の態様１の較正装置は、前記画像領域に属する各画素の座標値の平均値を、前記画像領域の代表位置として求める位置検出部を備え、前記補間部は、前記代表位置に対応する前記画像領域に属する各画素の画素値の代表値を前記代表位置の画素値として、前記複数の較正用撮影画像の各々の画像領域の代表位置を用いて前記補間処理を行うようになっていてもよい。また、本発明の態様１の較正装置において、前記係数設定部は、画素毎に、前記補間処理によって得られる画素値を正規化し、正規化された値の逆数を補正係数とするようになっていてもよい。
【０２２１】
本発明の態様２の較正装置は、態様１に加え、前記撮影対象が示される画像領域の位置が変わるように前記撮影装置を動かす駆動装置を制御し、且つ、前記撮影装置を制御して撮影処理を行わせる撮影制御部を備え、前記撮影制御部は、前記複数の較正用撮影画像の各々に示されている前記撮影対象の画像領域を仮想的に全て同じ較正用画像上に示す場合に前記画像領域が格子状に配列するように、前記駆動装置および前記撮影装置を制御するようになっていてもよい。
【０２２２】
本発明の態様２によれば、前記撮影対象の画像領域が格子状に配列することになるため、補間部は、比較的簡易な演算である格子点補間を利用できる。それゆえ、演算を高速で行えるというメリットを有する。
【０２２３】
本発明の態様３の較正装置は、態様１に加え、前記撮影装置は動画の取得が可能なカメラであり、前記撮影装置が動かされながら前記撮影対象を撮影することによって取得される動画を構成する全フレームのなかから一部のフレームの各々を前記較正用撮影画像として抽出する抽出部を備え、前記抽出部は、抽出される全ての較正用撮影画像の各々に示されている前記撮影対象の画像領域を仮想的に全て同じ較正用撮影画像上に示す場合に前記画像領域が分散して配置されるように、前記較正用撮影画像として抽出するフレームを決定することを特徴とする。
【０２２４】
本発明の態様３によれば、前記撮影装置を人手によって動かして前記撮影対象を撮影しても、前記補間部に前記補間処理を行わせるための複数の較正用撮影画像を取得することが可能であり、簡易に感度較正処理を行うことができるという効果を奏する。
【０２２５】
本発明の態様４の較正装置は、態様１〜３に加え、前記補間部は、複数の撮影対象の各々について、前記補間処理に用いる前記複数の較正用撮影画像を取得すると、前記撮影装置の各画素の画素値を求めるようになっており、前記係数設定部は、前記複数の撮影対象の各々について、前記補正係数を求めるようになっており、前記複数の撮影対象の全部または一部の各々は、互いに濃度の異なるグレー色を示すことを特徴とする。
【０２２６】
本発明の態様４によれば、画素毎に、互いに濃度の異なるグレー色の各々について補正係数を求めるようになっている。それゆえ、互いに濃度の異なるグレー色の各々に対応する補正係数を補間することで、撮影装置の画素値の各レベルと補正係数との関係を示したテーブルを得ることができる。よって、較正処理後の撮影装置においては、画素値のレベルに応じて最適な補正係数を用いることができるというメリットがある。
【０２２７】
また、本発明の態様４の構成は、撮影装置の各画素の画素値の分布特性に輝度依存性がある場合に適している。
【０２２８】
本発明の態様５の較正装置は、態様１〜４に加え、前記補間部は、複数の撮影対象の各々について、前記補間処理に用いる前記複数の較正用撮影画像を取得すると、前記撮影装置の各画素の画素値を求めるようになっており、前記係数設定部は、前記複数の撮影対象の各々について、前記補正係数を求めるようになっており、前記複数の撮影対象の全部または一部の各々は、色空間における色成分を示し、且つ、互いに色成分を異ならせることを特徴とする。
【０２２９】
本発明の態様５によれば、画素毎に、互いに異なる色成分の各々について補正係数を求めるようになっている。それゆえ、互いに異なる色成分の各々に対応する補正係数を補間することで、色空間内の各位置と補正係数との関係を示したテーブルを得ることができる。
【０２３０】
また、本発明の態様５は、撮影装置の各画素の画素値の分布特性に色依存性がある場合に適している。
【０２３１】
本発明の態様６の較正装置は、態様１〜５に加え、前記複数の較正用撮影画像の各々を合成することにより、前記複数の較正用撮影画像の各々に示されている全ての前記画像領域を示した合成画像を作成する合成画像作成部を備えており、前記補間部は、前記合成画像を参照することで、前記複数の較正用撮影画像の各々の前記画像領域を特定することを特徴とする。
【０２３２】
本発明の態様６によれば、前記補間部は、前記合成画像を参照して前記複数の較正用撮影画像の各々の前記画像領域を特定することにより、データ処理を高速に行うことができるようになる。
【０２３３】
また、本発明の態様１〜６に係る較正装置は、コンピュータによって実現してもよく、この場合には、コンピュータを本発明の態様１〜６の較正装置が備える各部として動作させることにより、前記較正装置をコンピュータにて実現させるプログラム、およびそれを記録したコンピュータ読み取り可能な記録媒体も、本発明の範疇に入る。
【０２３４】
本発明の態様７は、撮影装置の各画素の画素値に適用される各画素の補正係数を設定することで、前記撮影装置の各画素の感度を較正する較正方法であって、前記撮影装置によって所定色の撮影対象を撮影して較正用撮影画像を取得する工程であって、前記撮影対象が示される画像領域の位置を互いに異ならせる複数の較正用撮影画像を取得する工程と、前記複数の較正用撮影画像の各々の前記画像領域を用いて補間処理を行うことにより、前記撮影装置の各画素の画素値を求める工程と、前記補間処理によって求められる画素値を参照して前記補正係数を設定する工程と、を含む。本発明の態様７によれば、本発明の態様１と同様の効果を奏する。
【０２３５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【０２３６】
１００      較正システム
１０１ａ    撮影装置
１０１ｂ    駆動装置
１０２      表示装置
１０３      情報処理装置（較正装置）
１０３ａ    情報処理部
１２３      位置検出部
１２４      補間部
１２５      係数設定部
１２６      撮影制御部
１３１      パターン領域（撮影対象）
１３１ａ    パターン領域（画像領域）
２００      較正システム
２１３      情報処理装置（較正装置）
２１３ａ    情報処理部
２２３      位置検出部
２２４      抽出部
２２５      補間部
２２６      係数設定部
【図１】
0006577272.tif 000009
【図２】
0006577272.tif 000010
【図３】
0006577272.tif 000011
【図４】
0006577272.tif 000012
【図５】
0006577272.tif 000013
【図６】
0006577272.tif 000014
【図７】
0006577272.tif 000015
【図８】
0006577272.tif 000016
【図９】
0006577272.tif 000017
【図１０】
0006577272.tif 000018
【図１１】
0006577272.tif 000019
【図１２】
0006577272.tif 000020
【図１３】
0006577272.tif 000021
【図１４】
0006577272.tif 000022
【図１５】
0006577272.tif 000023
【図１６】
0006577272.tif 000024
【図１７Ａ】
0006577272.tif 000025
【図１７Ｂ】
0006577272.tif 000026
【図１８】
0006577272.tif 000027
【図１９】
0006577272.tif 000028
【図２０】
0006577272.tif 000029
【図２１】
0006577272.tif 000030
【図２２】
0006577272.tif 000031
【図２３】
0006577272.tif 000032
【図２４】
0006577272.tif 000033
【図２５】
0006577272.tif 000034
【図２６】
0006577272.tif 000035
【図２７】
0006577272.tif 000036
【図２８】
0006577272.tif 000037
【図２９】
0006577272.tif 000038